(57)【要約】非水性溶媒系布地処理方法における布地ケア活性物質の布地物品への均一な付着のための方法、及び最大の利益を達成するために、処理される布地物品上に布地ケア活性物質を均一に付着できる組成物。【特許請求の範囲】
【請求項１】
非水性布地処理プロセスにおける布地ケア活性物質の布地物品上への均一及び効率的な付着のための方法であって、
（ａ）親油性流体を含む第１の相、
キャリア及び布地ケア活性物質を含む第２の相であって、前記キャリアが、前記親油性流体に実質的に不溶性である第２の相、及び
前記第２の相が、離散粒子を形成するように、前記組成物を乳化するために十分な有効量の乳化剤、
を含むデリバリーシステムを得る工程、
（ｂ）布地物品に前記デリバリーシステムを接触させる工程、並びに
（ｃ）前記親油性流体の少なくとも一部分を除去する工程
を含む方法。
【請求項２】
前記第２の相が、１０００μｍ未満のメジアン粒径（χ５０）を有する液滴の形態である、請求項１に記載の方法。
【請求項３】
前記デリバリーシステムの１ｍＬの試料の中で、０．９５重量分画を超える前記第２の相が液滴の形態であり、各液滴が前記デリバリーシステムの前記１ｍＬの試料中の前記第２の相の合計質量の１重量％未満の個々の重量を有する、請求項１に記載の方法。
【請求項４】
前記布地ケア活性物質が、０未満のｌｏｇＰ値を有する、請求項１〜３のいずれか一項に記載の方法。
【請求項５】
前記布地ケア活性物質が、１〜−１のｌｏｇＰ値を有する、請求項１〜３のいずれか一項に記載の方法。
【請求項６】
前記第１の相の中の布地ケア活性物質の量対前記第２の相が、１：２〜１：１０００の範囲である、請求項１〜５のいずれか一項に記載の方法。
【請求項７】
前記キャリアと前記乳化剤の重量比が、１００００：１〜１：１の範囲である、請求項１〜６のいずれか一項に記載の方法。
【請求項８】
前記布地ケア活性物質と前記キャリアの重量比が、１：１０００〜３：１の範囲である、請求項１〜７のいずれか一項に記載の方法。
【請求項９】
前記親油性流体が、シリコーン、グリコールエーテル、グリセロールエーテル、フッ化炭素、炭化水素、及びこれらの混合物から成る群から選択される、請求項１〜８のいずれか一項に記載の方法。
【請求項１０】
前記親油性流体が、環状シロキサン溶媒である、請求項１〜９のいずれか一項に記載の方法。
【請求項１１】
前記親油性流体が、デカメチルシクロペンタシロキサンである、請求項１〜１０のいずれか一項に記載の方法。
【請求項１２】
前記デリバリーシステムが、前記デリバリーシステムの少なくとも５０重量％の前記親油性流体を含む、請求項１〜１１のいずれか一項に記載の方法。
【請求項１３】
前記キャリアが、水、及び所望により直鎖又は分岐鎖Ｃ１〜Ｃ６アルコール、Ｃ１〜Ｃ４グリコール、又はこれらの混合物を含む、請求項１〜１２のいずれか一項に記載の方法。
【請求項１４】
前記キャリアが、前記組成物の０．０１重量％〜５重量％を構成する、請求項１〜１３のいずれか一項に記載の方法。
【請求項１５】
前記布地ケア活性物質が、水溶性又は部分的に水溶性の物質、非水溶性液体、又は非水溶性固体である、請求項１〜１４のいずれか一項に記載の方法。
【請求項１６】
７０重量％を超える前記布地ケア活性物質が、前記布地物品上に付着される、請求項１〜１５のいずれか一項に記載の方法。
【請求項１７】
前記布地ケア活性物質が、汚れ放出ポリマー、漂白剤、酵素、香料、柔軟化剤、仕上げポリマー、移染防止剤、染料固定剤、ＵＶ保護剤、しわ低減／除去剤、布地再生剤、繊維修復剤、香料放出及び／又は送達剤、形状保持剤、布地及び／又は汚れ標的剤、抗菌剤、変色防止剤、疎水性仕上げ剤、ＵＶ遮断剤、増白剤、顔料、毛玉防止剤、温度制御技術、スキンケアローション、難燃剤、及びこれらの混合物から成る群から選択される、請求項１〜１６のいずれか一項に記載の方法。
【請求項１８】
前記乳化剤が、次の一般式、
（Ｉ）Ｙｕ−（Ｌｔ−Ｘｖ）ｘ−Ｙ’ｗ
（ＩＩ）Ｌｙ−（Ｘｖ−Ｙｕ）ｘ−Ｌ’ｚ
およびこれらの混合物、
式中、Ｌ及びＬ’は、溶媒相容化（又は親油性）部分であり、これらは独立して次のものから選択される。
（ａ）Ｃ１〜Ｃ２２アルキル若しくはＣ４〜Ｃ１２アルコキシの、直鎖又は分岐鎖、環式又は非環式、飽和又は不飽和、置換又は非置換のもの、
（ｂ）次の式を有するシロキサン：
ＭａＤｂＤ’ｃＤ’’ｄ（ＩＩＩ）
式中、ａは０〜２であり、ｂは０〜１０００であり、ｃは０〜５０であり、ｄは０〜５０であり、ただしａ＋ｃ＋ｄが少なくとも１であり、
式（ＩＩＩ）のＭは、Ｒ１３−ｅＸｅＳｉＯ１／２であり、ここで、式（ＩＩＩ）のＲ１は独立してＨ又はアルキル基であり、式（ＩＩＩ）のＸはヒドロキシル基であり、及びｅは０又は１であり、
式（ＩＩＩ）のＤは、Ｒ４２ＳｉＯ２／２であり、ここで、式（ＩＩＩ）のＲ４は独立してＨ又はアルキル基であり、
式（ＩＩＩ）のＤ’は、Ｒ５２ＳｉＯ２／２であり、ここで式（ＩＩＩ）のＲ５は独立してＨ、アルキル基、又は（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、ただし式（ＩＩＩ）の少なくとも１つのＲ５が、（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３（式ＩＩＩｂとして参照される）であり、ここで式（ＩＩＩｂ）のＲ３は、独立してＨ、アルキル基、又はアルコキシ基であり、式（ＩＩＩｂ）のｆは１〜１０であり、式（ＩＩＩｂ）のｇは０又は１であり、式（ＩＩＩｂ）のｈは１〜５０であり、式（ＩＩＩｂ）のｉは０〜５０であり、式（ＩＩＩｂ）のｊは０〜５０であり、式（ＩＩＩｂ）のｋは４〜８であり、式（ＩＩＩｂ）のＣ６Ｑ４は、非置換又は置換型であって式（ＩＩＩｂ）のＱは、独立してＨ、Ｃ１〜１０アルキル、Ｃ１〜１０アルケニル、及びこれらの混合物であり、
式（ＩＩＩ）のＤ’’は、Ｒ６２ＳｉＯ２／２であり、ここで式（ＩＩＩ）のＲ６は独立して、Ｈ、アルキル基、又は（ＣＨ２）ｌ（Ｃ６Ｑ４）ｍ（Ａ）ｎ−［（Ｔ）ｏ−（Ａ’）ｐ−］ｑ−（Ｔ’）ｒＺ（Ｇ）ｓ（式ＩＩＩｃとして参照される）であり、ここで式（ＩＩＩｃ）のｌは１〜１０であり、式（ＩＩＩｃ）のｍは０又は１であり、式（ＩＩＩｃ）のｎは０〜５であり、式（ＩＩＩｃ）のｏは０〜３であり、式（ＩＩＩｃ）のｐは０又は１であり、式（ＩＩＩｃ）のｑは０〜１０であり、式（ＩＩＩｃ）のｒは０〜３であり、式（ＩＩＩｃ）のｓは０〜３であり、式（ＩＩＩｃ）のＣ６Ｑ４は非置換又は置換型であって式（ＩＩＩｃ）のＱは独立して、Ｈ、Ｃ１〜１０アルキル、Ｃ１〜１０アルケニル、及びこれらの混合物であり、式（ＩＩＩｃ）のＡ及びＡ’はそれぞれ独立して、エステル、ケト、エーテル、チオ、アミド、アミノ、Ｃ１〜４フルオロアルキル、Ｃ１〜４フルオロアルケニル、分岐鎖又は直鎖ポリアルキレンオキシド、ホスフェート、スルホニル、サルフェート、アンモニウム、及びこれらの混合物を表す連結部分であり、式（ＩＩＩｃ）のＴ及びＴ’はそれぞれ独立して、Ｃ１〜３０直鎖若しくは分岐鎖アルキル若しくはアルケニル又はアリールで、非置換又は置換型であり、式（ＩＩＩｃ）のＺは、水素、カルボン酸、ヒドロキシ、ホスフェート、ホスフェートエステル、スルホニル、スルホネート、サルフェート、分岐鎖若しくは直鎖ポリアルキレンオキシド、ニトリル、グリセリル、Ｃ１〜３０アルキル若しくはアルケニルで置換されたアリール又は非置換のアリール、Ｃ１〜１０アルキル若しくはアルケニルで置換された炭水化物又は非置換の炭水化物、或いはアンモニウムであり、式（ＩＩＩｃ）のＧは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートのようなアニオン又はカチオンであり、
Ｙ及びＹ’は親水性部分であり、これはヒドロキシ、ポリヒドロキシ、Ｃ１〜Ｃ３アルコキシ、モノ−又はジ−アルカノールアミン、Ｃ１〜Ｃ４アルキル置換アルカノールアミン、Ｏ、Ｓ、Ｎを含有する置換複素環、サルフェート、カルボキシレート、カーボネートから独立して選択され、Ｙ及び／又はＹ’がエトキシ（ＥＯ）又はプロポキシ（ＰＯ）であるときには、次のものから成る群から選択されるＲで末端処理されなければならない。
（ｉ）１〜３個のヘテロ原子を含有する、４〜８員環、置換又は非置換の複素環式環、及び
（ｉｉ）１〜３０個の炭素原子を有する、直鎖又は分岐鎖、飽和又は不飽和、置換又は非置換、環式又は非環式、脂肪族又は芳香族の炭化水素ラジカル、
Ｘは、Ｏ、Ｓ、Ｎ、Ｐ、またはＯ、Ｓ、Ｎ、Ｐが入り込んだＣ１〜Ｃ２２アルキルの、直鎖又は分岐鎖、飽和又は不飽和、置換又は非置換、環式又は非環式、脂肪族又は芳香族のもの、グリシジル、エステル、アミド、アミノ、ＰＯ４２−、ＨＰＯ４−、ＰＯ３２−、ＨＰＯ３−から選択される架橋結合であり、これらはプロトン化又は非プロトン化しており、
ｕ及びｗは、０〜２０から独立して選択される整数であり、ただしｕ＋ｗ≧１であり、
ｔは１〜１０の整数であり、
ｖは０〜１０の整数であり、
ｘは１〜２０の整数であり、並びに
ｙ及びｚは、１〜１０から独立して選択される整数である、
を有するシロキサン系界面活性剤の発明である、請求項１〜１７のいずれか一項に記載の方法。
【請求項１９】
前記デリバリーシステムが、前記布地物品に、浸漬、浸し塗り、噴霧、はけ塗り、擦り付け、及びこれらの組み合わせから成る群から選択される方法により適用される、請求項１〜１８のいずれか一項に記載の方法。
【請求項２０】
前記親油性流体が、加熱、回転、絞り、締め付け、及びこれらの組み合わせから選択されるプロセスにより除去される、請求項１〜１９のいずれか一項に記載の方法。
【発明の詳細な説明】
【技術分野】
【０００１】
本発明は、非水性溶媒系布地処理方法における布地ケア活性物質の布地物品への均一な付着のための方法に関する。最大の利益を達成するために、処理される布地物品上に布地ケア活性物質を均一に付着できる組成物もまた提供される。
【背景技術】
【０００２】
洗浄用途は、通常、表面から異物を除去することを伴う。洗濯用途では、これは、綿、ポリエステル、シルク、レーヨン、ウール、及びこれらの素材の様々なブレンドを含む様々な布地から、疎水性汚れ及び親水性汚れ（食品の染み、血液、草、土、グリース、油など）の両方を除去することを伴う。布地物品の洗浄については、消費者は、汚れの除去について、従来の水系洗浄及びドライクリーニング（即ち、非水性系洗浄）の２つの選択肢を有する。
【０００３】
従来の洗濯洗浄は、通常は消費者の家又はコインランドリーのような専用の場所の洗濯機で、比較的多量の水を用いて実施される。洗濯機及び洗濯洗剤は非常に高性能なものになってきたが、従来の洗濯方法は、依然として布地物品を移染、縮み、及びしわの危険に曝している。消費者によって使用される布地物品の大部分は、従来の洗濯方法での洗浄に適していない。「洗濯機で安全」と考えられる布地物品でさえも、洗濯方法からひどいしわが生じ、アイロンがけが必要となることが多い。
【０００４】
ドライクリーニング方法は、洗浄システムにおいて少量の水が使用される、又は水が使用されない方法を指しており、ハロカーボン、炭化水素、高密度二酸化炭素、グリコールエーテル及びシリコーンのような、様々な非水性有機溶媒を使用する。多量の水の使用を避けることにより、ドライクリーニング方法は、布地物品を損傷する危険を最小にする。一般に、シルク、ウール、レーヨンなどのような水の影響を受けやすい布地は、このように洗浄される。
【０００５】
しかしながら、従来の水系洗浄方法により布地から容易に除去された幾つかの汚れは、従来のドライクリーニング溶媒によっては同じように有効には除去されない。通常、ドライクリーニング店は、このような汚れをドライクリーニング方法の前に手作業で除去する。これらの方法は複雑であり、見つかった様々な染みに対処するために広範な組成物を必要とし、非常に労力を要し、処理される物品に何らかの局所的損傷を与える結果となることが多い。
【０００６】
更に、従来の洗剤組成物は水系洗浄のために開発されており、そのためその中の構成成分（例えば、汚れ放出ポリマー、漂白剤、酵素、その他の布地ケア活性物質）は、水系洗浄方法用に設計されている。これらの従来の洗浄剤及び布地ケア活性物質は、ドライクリーニング溶媒中では、おそらくこれらの溶媒との低い相容性のために、効率的に機能しないことが見出されている。例えば、ドライクリーニング方法を用いると、典型的な水系及びアルコール系の汚れの除去は非常にわずかである。よくある問題は、洗浄剤及び／又は布地ケア活性物質のむらのある付着であり、これはむらが残り、したがって不満足な結果をもたらす。別のよくある問題は、ドライクリーニング溶媒は、水と比べて布地の濡らし方がより弱く、結果としてドライクリーニング方法で使用される場合に、洗浄剤及び／又は布地ケア活性物質は、布地の中への浸透が相対的により弱いことを示し、満足できない結果をもたらす。
【発明の開示】
【発明が解決しようとする課題】
【０００７】
こうしたシステムにおいて布地洗浄又は布地ケアの利益を最大にするために、処理される布地物品上に均一に付着される洗浄剤及び／又は布地ケア活性物質を得ることは望ましい。洗浄剤及び布地ケア活性物質を処理される布地物品に効率的に付着及び送達することができ、したがって満足できる洗浄及び／又は布地ケアの利益が、最小量の溶媒を使用し、及び洗剤組成物が使用されることによって経済的に達成できることもまた望ましい。
【０００８】
ドライクリーニング方法において、洗浄剤及び／又は布地ケア活性物質が実質的に均一に分散し、その結果これらの構成成分が布地物品上に均一に付着するデリバリーシステムを有することもまた望ましい。
【０００９】
組成物が、実質的に均一に分散した水滴をドライクリーニング溶媒マトリックス中に含有し、並びに洗浄剤及び／又は布地ケア活性物質がこの水滴中に優先的に配置されることは、更に望ましい。
【課題を解決するための手段】
【００１０】
本発明は、多相デリバリーシステムを使用することによる、非水性溶媒系布地処理における布地ケア活性物質の布地物品への均一及び効率的な付着のための方法に関する。この方法は次の工程を含む。
（ａ）次のものを含むデリバリーシステムを得る工程、
親油性流体を含む第１の相、
キャリア及び布地ケア活性物質を含む第２の相であって、キャリアが、親油性流体に実質的に不溶性である第２の相、及び
第２の相が離散粒子を形成するように、組成物を乳化するために十分な有効量の乳化剤、
（ｂ）布地物品にデリバリーシステムを接触させる工程、並びに
（ｃ）親油性流体の少なくとも一部分を除去する工程。
【００１１】
本発明はまた、次の工程を含む非水性布地処理方法における布地ケア活性物質の布地物品上への均一及び効率的な付着のための方法に関し、
（ａ）親油性流体、キャリア、布地ケア活性物質、及び乳化剤を含むデリバリーシステムを得る工程、
（ｂ）布地物品にデリバリーシステムを接触させる工程、並びに
（ｃ）親油性流体の少なくとも一部分を除去する工程、
その際、布地ケア活性物質は、約０未満のｌｏｇＰ値を有し、及びキャリアは親油性流体中に、約０．１μｍ〜約１０００μｍのメジアン粒径（χ５０）を有する液滴の形態で分散する。
【００１２】
本発明はまた、次の工程を含む非水性布地処理方法における布地ケア活性物質の布地物品上への均一及び効率的な付着のための方法に関し、
（ａ）水性キャリア、非水溶性布地ケア活性物質、及びキャリア相界面活性剤を含む懸濁液、親油性流体、及び乳化剤を含むデリバリーシステムを得る工程、
（ｂ）布地物品にデリバリーシステムを接触させる工程、並びに
（ｃ）親油性流体の少なくとも一部分を除去する工程、
その際、布地ケア活性物質は、約１〜約−１のｌｏｇＰ値を有し、及びキャリアは親油性流体中に、約０．１μｍ〜約１０００μｍのメジアン粒径（χ５０）を有する液滴の形態で分散する。
【００１３】
上記の方法において有用なデリバリーシステムもまた提供される。
【発明を実施するための最良の形態】
【００１４】
本明細書で使用される用語「布地物品」とは、従来の洗濯方法又はドライクリーニング方法で慣例的に洗浄されるあらゆる物品を意味するものとする。したがって、このような用語は、衣類、亜麻布、カーテン及び衣類付属品の物品を含む。この用語は、また、カーペット、手提げバッグ、家具カバー、防水布、車の内装などのような、全体又は一部が布地で作製された他の品目も含む。
【００１５】
本明細書で使用する時、用語「布地処理組成物」若しくは「布地を処理する組成物」は、洗浄すべき布地物品と直接接触するドライクリーニング溶媒含有組成物を意味する。組成物が、また、コンディショニング、サイジング、及びその他の布地ケア処理のような洗浄以外の用途も提供する場合があることが理解される。ゆえに、それを用語「布地ケア組成物」と置き換えて用いてもよい。更に、任意の洗浄補助剤（例えば、追加の洗浄性界面活性剤、漂白剤、香料など）及び他の布地ケア剤を組成物に添加してもよい。
【００１６】
本明細書で使用する時、用語「ドライクリーニング」若しくは「非水性洗浄」は、布地物品を洗浄するためのドライクリーニング溶媒として非水性流体が使用されることを意味する。ただし、補助洗浄剤として、水を「ドライクリーニング」法に加えることができる。「ドライクリーニング」方法では、水の量を、ドライクリーニング溶媒又は洗浄組成物の最大約２５重量％まで含むことができる。非水性流体は、「親油性流体」若しくは「ドライクリーニング溶媒」と呼ばれる。
【００１７】
本明細書で使用する時、用語「布地ケア活性物質」又は「活性物質」は、所望の布地ケアの利益を処理される布地物品に送達する構成成分を指す。布地ケア活性物質には、布地洗浄の利益を提供する洗剤又は洗浄剤、並びに布地の柔軟化、臭気、布地の修復及び／又は改善などを提供する布地強化剤が挙げられる。一方、用語「補助剤成分」又は「補助剤」は、追加の布地ケアの利益を提供するためにデリバリーシステム中に組み込まれた補助構成成分を指し、また一方補助剤は、第１の相、第２の相、又は相間を含む組成物中のいずれの場所に位置してもよい。活性物質及び補助剤は液体であることも、又は固体であることもできる。
【００１８】
用語「汚れ」とは、除去が望まれる、布地物品上の望ましくないいかなる物質をも意味する。用語「水系」若しくは「親水性」の汚れは、汚れが最初に布地物品と接触した時に水を含んでいること、汚れが水に対する高い溶解性若しくは親和性を有すること、又は汚れが布地物品上で多量の水を保持することを意味する。水系の汚れの例としては、これらに限定されないが、飲物、多くの食品汚れ、水溶性染料、汗、尿若しくは血液などの体液、草の染み及び泥などの戸外の汚れが挙げられる。
【００１９】
本明細書で使用する時、用語「水溶性」は、少なくとも約９０重量％の布地ケア活性物質が水に溶解することを意味する。本明細書で使用する時、用語「非水溶性」は、約１０重量％以下の布地ケア活性物質が水に溶解することを意味する。本明細書で使用する時、用語「部分的に水溶性」は、すべての他の布地ケア活性物質を含む。
【００２０】
特に指定のない限り、百分率はすべて重量百分率である。
【００２１】
すべての分子量は、ゲル浸透クロマトグラフィー（ＧＰＣ）により決定される重量平均分子量である。
【００２２】
（デリバリーシステム）
本発明のデリバリーシステムは、第１の相、第２の相、及び第２の相が連続的な第１の相の中に離散液滴を形成するような有効量の乳化剤を含む、布地処理組成物である。第２の相は、キャリア及び少なくとも１つの布地ケア活性物質を含む。本明細書で使用する時、用語「デリバリーシステム」、「デリバリー組成物」及び「布地処理組成物」は同意語である。
【００２３】
典型的には、第２の相は、約１０００μｍ未満、又は約５００μｍ未満、又は約１００μｍ未満のメジアン粒径χ５０を有する離散液滴を形成する。メジアン粒径は、試験方法ＩＳＯ１３３２０−１：１９９９（Ｅ）により決定され、その際χ５０は「メジアン粒径、μｍ」として体積測定を基準に定義され、即ち粒子の体積で５０％がこの直径より小さく、及び５０％がより大きい。幾つかの実施形態では、第２の相の液滴のメジアン粒径は、約０．１〜約１０００μｍ、又は約１〜約５００μｍ、又は約５〜約１００μｍの範囲である。
【００２４】
あるいは第２の相の離散液滴は、同じ試験方法ＩＳＯ１３３２０−１：１９９９により特徴付けられることができ、その際デリバリーシステムの１ｍＬの試料の中に、液滴中に含有される約０．９５重量分画を超える第１の相を有し、各液滴がデリバリーシステムの１ｍＬの試料中の第１の相の合計質量の１重量％未満、好ましくは０．５重量％未満、及びより好ましくは０．１重量％未満の個々の重量を有する。
【００２５】
第１の相は親油性流体を含み、これは以下に、より詳細に記載される。１つの実施形態では、親油性流体は、シリコーン、グリコールエーテル、グリセロールエーテル、フッ化炭素、炭化水素、及びこれらの混合物から成る群から選択される。別の実施形態では、親油性流体は、デカメチルシクロペンタシロキサン及び／又はその他の環状シロキサン溶媒を含む。典型的には、第１の相は、組成物の少なくとも約５０重量％、又は約６０〜約９９．９９重量％、又は約７０〜約９５重量％、又は約８０〜約９０重量％を構成する。
【００２６】
キャリアは水を含み、及び幾つかの実施形態では、低級アルコール、例えばＣ１〜Ｃ６直鎖又は分岐鎖アルコール、及び低級グリコール、例えばＣ１〜Ｃ４グリコールを水に加えることができる。典型的には、キャリアは、組成物の約０．０１重量％〜約５重量％、又は約０．０５重量％〜約２重量％、又は約０．１重量％から約１重量％を構成する。本発明のデリバリーシステム中のキャリアと布地ケア活性物質は、約１０００：１〜約１：３、又は約５００：１〜約１：１、又は約１００：１〜約３：１の重量比を有する。
【００２７】
本明細書に使用するのに適した乳化剤の非限定例は、以下に詳細に記載される。乳化剤は、２００３年６月２７日に両方共出願された米国仮出願６０／４８３，３４３及び６０／４８２，９５８（Ｐ＆Ｇ件名９２８８Ｐ及び９３１８Ｐ）に記載されているもののように、親油性部分及び親水性部分を有することができる。典型的には、本発明のデリバリーシステム中のキャリアと乳化剤は、約１００００：１〜約１：１、又は約５０００：１〜約１０：１、又は約１０００：１〜約５０：１の重量比を有する。これらの乳化剤はまた親油性流体相中の洗浄性界面活性剤として機能できることもまた既知である。したがって、これらの乳化剤の追加の量はまたデリバリーシステム中に包含され得る。幾つかの実施形態では、デリバリーシステム中の乳化剤の全量と親油性流体の量とは、約１００００：１〜約１：１（重量：重量）、又は約５０００：１〜約１０：１（重量：重量）、又は約１０００：１〜約５０：１（重量：重量）の範囲である。
【００２８】
本発明に使用するのに適した布地ケア活性物質は、水に対して親油性流体に対してより高い親和性を有することができる。親和性はｌｏｇＰ、親油性流体／水の分配係数によって定義することができる。本発明のデリバリーシステムでは、布地ケア活性物質は、水と親油性流体との間に分配した。１つの実施形態では、布地ケア活性物質は、水に親油性流体より可溶性である。換言すれば、布地ケア活性物質は、約０未満のｌｏｇＰを有する。別の実施形態では、布地ケア活性物質は、水に親油性流体とほぼ等しく可溶性である。換言すれば、布地ケア活性物質は、約−１〜約１のｌｏｇＰを有する。２つの非相容性液体中の化合物の分配係数を決定するための方法は、「農薬のｎ−オクタノール／水の分配係数（Ｋｏｗ）の決定、批判的批評及び方法の比較（Determination of n-Octanol/Water Partition Coefficient (Kow) of Pesticides Critical Review and Comparison of Methods）」、Ａ．フィニツィオ（A.Finizio）、Ｍ．ビーギ（M.Vighi）、及びＤ．サンドローニ（D.Sandroni）、化学圏（Chemosphere）３４（１）巻、１３１〜１６１ページ（１９９７年）に記載されている。布地ケア活性物質のｌｏｇＰの値は、布地ケア活性物質を親油性流体及び水と混合することによって、この分配方法を適合させることにより決定できる。
【００２９】
本発明のデリバリーシステムは、非水性処理方法中に使用される布地ケア活性物質が、非水性溶媒に可溶性でない又は相容性でない場合に遭遇する問題を克服する。これらの布地ケア活性物質は、親油性流体から分離し、その中に懸濁する粒塊を形成する傾向があり、又は極端な場合は親油性流体から沈殿する傾向がある。布地ケア活性物質を有する親油性流体が布地物品に適用される場合には、布地ケア活性物質はしばしば不均一な又はむらのある処理結果を生み出す。
【００３０】
単一相親油性流体により送達される布地ケア活性物質は、むらのある付着を提供する傾向があり、及び布地表面上に留まる傾向があることが観察されている。少量のキャリア（例えば水）を親油性流体に加えることにより、布地ケア活性物質は処理される布地物品上に効率的に及び実質的に均一に付着され得、及び満足できる結果をもたらし得ることが驚くべきことに見出されている。付着の均一性は、本明細書の以下に記載される、ＡＡＴＣＣ試験方法１１８−１９９７に基づく試験によって明らかにすることができる。
【００３１】
付着の効率性は、親油性流体中に残留する布地ケア活性物質の残留量を定量する工程を加えることによって同じ試験方法によって明らかにすることができる。デリバリーシステムに添加された活性物質の量と活性物質の残留量との間の差が、布地上に付着された量である。典型的実施形態では、少なくとも約７０重量％、又は少なくとも約９０重量％、又は少なくとも約９０重量％の活性物質が布地上に付着される。
【００３２】
理論に束縛されるものではないが、所望の結果を提供するために、デリバリーシステム中の幾つかの要因が適切に制御される／バランスされる必要があると考えられている。第１に、布地ケア活性物質は水中に優先的に分配される。第２に、小さい離散液滴を形成するために水相は十分に乳化され、これは連続的な第１の相中に実質的に均質に分散される。この場合、乳化剤は水相の粒径を低減するため、並びに分散した相の経時的集塊が最小化される又は遅延されるように相の安定性を維持するために機能すると考えられている。本発明のデリバリーシステムが布地物品に適用される場合、水滴は布地物品上に実質的に均一に付着される。その上、水と繊維との間の親和性のために、水滴は優先的に布地を濡らし及び／又は布地の中に吸収され、したがって水相中の布地ケア活性物質が布地の中に浸透し、強化された布地処理の利益を布地に提供することができる。
【００３３】
（１）親油性流体
本明細書で使用する時、「親油性流体」は、水の２０重量％までにおいては水と混和しない、いかなる液体又は液体の混合物をも意味する。一般に、適した親油性流体は、周囲温度及び周囲圧力において完全に液体であることができ、容易に融解する固体、例えば、約０℃〜約６０℃の範囲内の温度で液体になるものであることができ、又は周囲温度及び周囲圧力、例えば、２５℃及び圧力１０１ｋＰａ（１気圧）において、液相と蒸気相との混合物を含むことができる。
【００３４】
本明細書の親油性流体は、不燃性であるか、又は、従来の既知のドライクリーニング流体の特性に等しい、又はそれを上回る、相対的に高い引火点及び／又は低いＶＯＣ特性を有することが好ましく、ここでこれらの用語は、ドライクリーニング業界で使用される従来の意味を有する。
【００３５】
適した親油性流体物質の非限定例としては、シロキサン、他のシリコーン、炭化水素、グリコールエーテル、グリセリンエーテルのようなグリセリン誘導体、ペルフルオロアミン、ペルフルオロ及びハイドロフルオロエーテル溶媒、低揮発性の非フッ素化有機溶媒、ジオール溶媒、環境に優しいその他の溶媒、並びにこれらの混合物が挙げられる。
【００３６】
本明細書で使用する時、「シロキサン」は、非極性で、水中又は低級アルコール中で不溶性であるシリコーン流体を意味する。直鎖シロキサン（例えば、米国特許第５，４４３，７４７号及び同第５，９７７，０４０号参照）並びに環状シロキサンは、本明細書で有用であり、それには、オクタメチルシクロテトラシロキサン（テトラマー）、ドデカメチルシクロヘキサシロキサン（ヘキサマー）、デカメチルシクロペンタシロキサン（ペンタマー、一般に「Ｄ５」と呼ばれる）及びこれらの混合物から成る群から選択される環状シロキサンが挙げられる。好ましいシロキサンは、約５０％を超える環状シロキサンペンタマー、又は約７５％を超える環状シロキサンペンタマー、又は少なくとも約９０％の環状シロキサンペンタマーを含む。本明細書に使用するのにまた好ましいのは、少なくとも約９０％（又は少なくとも約９５％）のペンタマー並びに約１０％未満（又は約５％未満）のテトラマー及び／又はヘキサマーを有する環状シロキサンの混合物であるシロキサンである。
【００３７】
親油性流体には、ドライクリーニング溶媒、特にフッ素化溶媒又はペルフルオロアミンを含むより新しい種類のいずれかの部分を含むことができる。ペルフルオロトリブチルアミンのような一部のペルフルオロアミンは、親油性流体として使用するには適していないが、親油性流体を含有する組成物中に存在し得る多くの補助剤の１つとして存在してもよい。
【００３８】
他の適した親油性流体としては、これらに限定されないが、ジオール溶媒系、例えば、Ｃ６若しくはＣ８又はより高級なジオールなどの高級ジオール、環式及び非環式の両方の種類を含むオルガノシリコーン溶媒など、並びにこれらの混合物が挙げられる。
【００３９】
低揮発性の非フッ素化有機溶媒の非限定例としては、例えば、オレアン（OLEAN）（登録商標）及び他のポリオールエステル、又は特定の比較的非揮発性の生分解性中鎖分岐状石油留分が挙げられる。
【００４０】
グリコールエーテルの非限定例としては、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられる。
【００４１】
シロキサンに加えて、他のシリコーン溶媒の非限定例が文献で周知であり（例えば、カーク・オスマー（Kirk Othmer）の「化学工学百科事典（Encyclopedia of Chemical Technology）」参照）、ＧＥシリコーンズ（GE Silicones）、東芝シリコーン（Toshiba Silicone）、バイエル（Bayer）、及びダウ・コーニング（Dow Corning）を含む多数の市販源から入手可能である。例えば、適したシリコーン溶媒の１つは、ＧＥシリコーンズ（GE Silicones）から入手可能なＳＦ−１５２８である。
【００４２】
本発明に使用するのに適したグリセリン誘導体溶媒の非限定例は、次の構造を有する。
【化１】
2006527313.tif 000002
式中、Ｒ１1、Ｒ２、及びＲ３それぞれは、Ｈ、分岐状又は直鎖の、置換又は非置換の、Ｃ１〜Ｃ３０アルキル、Ｃ２〜Ｃ３０アルケニル、Ｃ１〜Ｃ３０アルコキシカルボニル、Ｃ３〜Ｃ３０アルキレンオキシアルキル、Ｃ１〜Ｃ３０アシルオキシ、Ｃ７〜Ｃ３０アルキレンアリール、Ｃ４〜Ｃ３０シクロアルキル、Ｃ６〜Ｃ３０アリール、及びこれらの混合物から独立に選択される。Ｒ１、Ｒ２及びＲ３の２つ以上が相まって、Ｃ３〜Ｃ８の、芳香族又は非芳香族、複素環式又は非複素環式の環を形成することができる。
【００４３】
適したグリセリン誘導体溶媒の非限定例としては、２，３−ビス（１，１−ジメチルエトキシ）−１−プロパノール、２，３−ジメトキシ−１−プロパノール、３−メトキシ−２−シクロペントキシ−１−プロパノール、３−メトキシ−１−シクロペントキシ−２−プロパノール、炭酸（２−ヒドロキシ−１−メトキシメチル）エチルエステルメチルエステル、グリセロールカーボネート、及びこれらの混合物が挙げられる。
【００４４】
環境に優しい他の溶媒の非限定例としては、オゾン生成能が約０〜約０．３１の親油性流体、蒸気圧が０〜１３Ｐａ（約０〜約０．１ｍｍＨｇ）の親油性流体、及び／又は、蒸気圧が１３Ｐａ（０．１ｍｍＨｇ）より高く、ただしオゾン生成能が、約０〜約０．３１である親油性流体が挙げられる。ここまでに記載していないこのような親油性流体の非限定例としては、カーボネート溶媒（即ち、メチルカーボネート、エチルカーボネート、エチレンカーボネート、プロピレンカーボネート、グリセリンカーボネート）、及び／又はサクシネート溶媒（即ち、ジメチルサクシネート）が挙げられる。
【００４５】
本明細書で使用する時、「オゾン反応性」は、ＶＯＣが大気中でオゾンを形成する能力の指標である。それは、揮発性有機物１グラム当たりで形成されるオゾンのグラム数として測定される。オゾン反応性を決定するための方法は、Ｗ．Ｐ．Ｌ．カーター（W.P.L.Carter）の、「揮発性有機化合物のオゾン反応性尺度の開発（Development of Ozone Reactivity Scales of Volatile Organic Compounds）」、空気及び廃棄物管理協会誌（Journal of the Air & Waste Management Association）、４４巻、８８１〜８９９ページ、１９９４年に更に論じられている。使用される時、「蒸気圧」は、カリフォルニア大気資源局（California Air Resources Board）の方法３１０で定義される技術によって測定することができる。
【００４６】
１つの実施形態では、親油性流体は、親油性流体の５０重量％を超える、シクロペンタシロキサン（「Ｄ５」）、並びに／又は、ほぼ同様の揮発性を有し、及び所望により他のシリコーン溶媒によって補完された直鎖類縁体を含む。
【００４７】
（２）乳化剤
適した乳化剤（emulsifying agents）又は乳化剤（emulsifiers）は、親油性部分及び親水性部分を含んでもよく、及び親油性流体中に水を懸濁することができる。例えば、本発明に使用するのに適した乳化剤は、次の一般式を有する。
（Ｉ）Ｙｕ−（Ｌｔ−Ｘｖ）ｘ−Ｙ’ｗ
（ＩＩ）Ｌｙ−（Ｘｖ−Ｙｕ）ｘ−Ｌ’ｚ
【００４８】
およびにこれらの混合物、
式中、Ｌ及びＬ’は、溶媒相容化（又は親油性）部分であり、これらは独立して次のものから選択される。
【００４９】
（ａ）Ｃ１〜Ｃ２２アルキル若しくはＣ４〜Ｃ１２アルコキシの、直鎖又は分岐鎖、環式又は非環式、飽和又は不飽和、置換又は非置換のもの、
（ｂ）次の式を有するシロキサン、
ＭａＤｂＤ’ｃＤ’’ｄ（ＩＩＩ）
式中、ａは０〜２であり、ｂは０〜１０００であり、ｃは０〜５０であり、ｄは０〜５０であり、ただしａ＋ｃ＋ｄが少なくとも１であり、
式（ＩＩＩ）のＭは、Ｒ１３−ｅＸｅＳｉＯ１／２であり、ここで、式（ＩＩＩ）のＲ１は独立してＨ又はアルキル基であり、式（ＩＩＩ）のＸはヒドロキシル基であり、ｅは０又は１であり、
式（ＩＩＩ）のＤは、Ｒ４２ＳｉＯ２／２であり、ここで、式（ＩＩＩ）のＲ４は独立してＨ又はアルキル基であり、
式（ＩＩＩ）のＤ’は、Ｒ５２ＳｉＯ２／２であり、ここで式（ＩＩＩ）のＲ５は独立してＨ、アルキル基、又は（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、ただし式（ＩＩＩ）の少なくとも１つのＲ５が、（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３（式ＩＩＩｂとして参照される）であり、ここで式（ＩＩＩｂ）のＲ３は、独立してＨ、アルキル基、又はアルコキシ基であり、式（ＩＩＩｂ）のｆは１〜１０であり、式（ＩＩＩｂ）のｇは０又は１であり、式（ＩＩＩｂ）のｈは１〜５０であり、式（ＩＩＩｂ）のｉは０〜５０であり、式（ＩＩＩｂ）のｊは０〜５０であり、式（ＩＩＩｂ）のｋは４〜８であり、式（ＩＩＩｂ）のＣ６Ｑ４は、非置換又は置換型であって式（ＩＩＩｂ）のＱは、独立してＨ、Ｃ１〜１０アルキル、Ｃ１〜１０アルケニル、及びこれらの混合物であり、
式（ＩＩＩ）のＤ’’は、Ｒ６２ＳｉＯ２／２であり、ここで式（ＩＩＩ）のＲ６は独立して、Ｈ、アルキル基、又は（ＣＨ２）ｌ（Ｃ６Ｑ４）ｍ（Ａ）ｎ−［（Ｔ）ｏ−（Ａ’）ｐ−］ｑ−（Ｔ’）ｒＺ（Ｇ）ｓ（式ＩＩＩｃとして参照される）であり、ここで式（ＩＩＩｃ）のｌは１〜１０であり、式（ＩＩＩｃ）のｍは０又は１であり、式（ＩＩＩｃ）のｎは０〜５であり、式（ＩＩＩｃ）のｏは０〜３であり、式（ＩＩＩｃ）のｐは０又は１であり、式（ＩＩＩｃ）のｑは０〜１０であり、式（ＩＩＩｃ）のｒは０〜３であり、式（ＩＩＩｃ）のｓは０〜３であり、式（ＩＩＩｃ）のＣ６Ｑ４は非置換又は置換型であって式（ＩＩＩｃ）のＱは独立して、Ｈ、Ｃ１〜１０アルキル、Ｃ１〜１０アルケニル、及びこれらの混合物であり、式（ＩＩＩｃ）のＡ及びＡ’はそれぞれ独立して、エステル、ケト、エーテル、チオ、アミド、アミノ、Ｃ１〜４フルオロアルキル、Ｃ１〜４フルオロアルケニル、分岐鎖又は直鎖ポリアルキレンオキシド、ホスフェート、スルホニル、サルフェート、アンモニウム、及びこれらの混合物を表す連結部分であり、式（ＩＩＩｃ）のＴ及びＴ’はそれぞれ独立して、Ｃ１〜３０直鎖若しくは分岐鎖アルキル若しくはアルケニル又はアリールで、非置換又は置換型であり、式（ＩＩＩｃ）のＺは、水素、カルボン酸、ヒドロキシ、ホスフェート、ホスフェートエステル、スルホニル、スルホネート、サルフェート、分岐鎖若しくは直鎖ポリアルキレンオキシド、ニトリル、グリセリル、Ｃ１〜３０アルキル若しくはアルケニルで置換されたアリール又は非置換のアリール、Ｃ１〜１０アルキル若しくはアルケニルで置換された炭水化物又は非置換の炭水化物、或いはアンモニウムであり、式（ＩＩＩｃ）のＧは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートのような陰イオン又は陽イオンであり、
Ｙ及びＹ’は親水性部分であり、これはヒドロキシ、ポリヒドロキシ、Ｃ１〜Ｃ３アルコキシ、モノ−又はジ−アルカノールアミン、Ｃ１〜Ｃ４アルキル置換アルカノールアミン、Ｏ、Ｓ、Ｎを含有する置換複素環、サルフェート、カルボキシレート、カーボネートから独立して選択され、Ｙ及び／又はＹ’がエトキシ（ＥＯ）又はプロポキシ（ＰＯ）であるときには、次のものから成る群から選択されるＲで末端処理されなければならない：
（ｉ）１〜３個のヘテロ原子を含有する、４〜８員環、置換又は非置換の複素環式環、及び
（ｉｉ）約１〜約３０個の炭素原子を有する、直鎖又は分岐鎖、飽和又は不飽和、置換又は非置換、環式又は非環式、脂肪族又は芳香族の炭化水素ラジカル、
Ｘは、Ｏ、Ｓ、Ｎ、Ｐ、またはＯ、Ｓ、Ｎ、Ｐが入り込んだＣ１〜Ｃ２２アルキルの、直鎖又は分岐鎖、飽和又は不飽和、置換又は非置換、環式又は非環式、脂肪族又は芳香族のもの、グリシジル、エステル、アミド、アミノ、ＰＯ４２−、ＨＰＯ４−、ＰＯ３２−、ＨＰＯ３−から選択される架橋結合であり、これらは、プロトン化、又は非プロトン化しており、
ｕ及びｗは、０〜２０から独立して選択される整数であり、ただしｕ＋ｗ≧１であり、
ｔは１〜１０の整数であり、
ｖは０〜１０の整数であり、
ｘは１〜２０の整数であり、並びに
ｙ及びｚは、１〜１０から独立して選択される整数である。
【００５０】
上式を有する乳化剤の非限定例としては、アルカノールアミン、ホフェート（phophate）／ホスホネートエステル、これらに限定されないが、ジェミニジオール、ジェミニアミドアルコキシレート、ジェミニアミノアルコキシレートを含むジェミニ界面活性剤、末端処理された非イオン性界面活性剤、非イオン性シリコーンエトキシレート、シリコーンアミン誘導体のような末端処理されたシリコーン界面活性剤、アルキルアルコキシレート、ポリオール界面活性剤、並びにこれらの混合物が挙げられる。これらの乳化剤の詳細な記載は、米国仮出願６０／４８３，３４３及び６０／４８２，９５８に見出される。
【００５１】
しかし、適した乳化剤の別の部類は、約６〜約２０個の炭素原子の炭素鎖を有するオルガノスルホサクシネートである。１つの実施形態では、オルガノスルホサクシネートは、それぞれ炭素原子数約６〜約２０個の炭素鎖を有する、ジアルキル鎖を含有する。別の実施形態では、オルガノスルホサクシネートは、アリール又はアルキルアリールの置換又は非置換、分岐鎖又は直鎖、飽和又は不飽和基を含有する鎖を有する。適したオルガノスルホサクシネート界面活性剤の非限定的な市販例は、商標名エアゾールＯＴ（Aerosol OT）（登録商標）及びエアゾールＴＲ−７０（Aerosol TR-70）（登録商標）（サイテック（Cytec）から）として入手可能である。
【００５２】
（３）布地ケア活性物質
適した布地ケア活性物質は、水溶性又は部分的に水溶性の物質（例えば、漂白剤、酵素）であるか、又は非水溶性液体（例えば、香料）であり得る。適した布地ケア活性物質にはまた、非水溶性固体（例えば、フッ素又はシリコーン汚れ放出ポリマー）が挙げられる。
【００５３】
本発明のデリバリーシステム及び方法に使用する具体的な布地ケア活性物質の非限定例には、汚れ放出ポリマー、漂白剤、酵素、香料、柔軟化剤、仕上げポリマー、移染防止剤、染料固定剤、ＵＶ保護剤、しわ低減／除去剤、布地再生剤、繊維修復剤、香料放出及び／又は送達剤、形状保持剤、布地及び／又は汚れ標的剤、抗菌剤、変色防止剤、疎水性仕上げ剤、ＵＶ遮断剤、増白剤、顔料（例えば、Ａｌ２Ｏ３、ＴｉＯ２）、毛玉防止剤、温度制御技術、スキンケアローション（湿潤剤、保湿剤、粘度調整剤、芳香剤などを含む）、難燃剤、及びこれらの混合物が挙げられる。
【００５４】
本発明の具体的実施形態では、次の布地ケア活性物質が、デリバリーシステム中に特に望ましい：汚れ放出ポリマー、漂白剤、酵素、香料、柔軟化剤、及びこれらの混合物。
【００５５】
（ａ）汚れ放出ポリマー
本明細書で使用する時、用語「汚れ放出」は、洗浄される、又は別の方法で処理される布地物品が、布地物品と接触した汚れを除去する能力を指す。本発明は、汚れの布地物品への付着を完全に防止しないが、こうした付着を妨げ及び布地物品の洗浄を改善する。本明細書で使用するのに適した汚れ放出ポリマーの非限定例としては、フッ素含有汚れ放出ポリマー及びシリコーン含有汚れ放出ポリマーが挙げられる。
【００５６】
１つの実施形態では、汚れ放出ポリマーは水に実質的に不溶性であり、及び水中分散液として調製される。以下に、より詳細に論じられるＡＡＴＣＣ試験方法１１８−１９９７によって測定される時、こうした水中分散液が布地物品に向けて適用された場合にそれは汚れ放出ポリマーの布地物品上への有効な付着を達成しない。ＡＡＴＣＣ試験方法１１８−１９９７によって測定される時、汚れ放出ポリマーの有効な付着は、本発明のデリバリーシステムの使用を通じて達成される場合があることが見出されている。
【００５７】
本発明で有用なフッ素含有汚れ放出ポリマー（フッ素−ＳＲＰ）の例は、ペルフルオロアルキルモノマー、又はペルフルオロアルキルモノマーとアルキル（メタ）アクリレートモノマーとの混合物から得られるポリマーであり得る。ペルフルオロアルキルモノマーは次の式を有する。
Ｒｆ−Ｑ−Ａ−Ｃ（Ｏ）−Ｃ（Ｒ）＝ＣＨ２（ＩＶ）
【００５８】
ここで、式（ＩＶ）のＲｆは、２〜約２０個の炭素原子を含有する直鎖又は分岐鎖ペルフルオロアルキル基であり、式（ＩＶ）のＲは、Ｈ又はＣＨ３であり、ＡはＯ、Ｓ、又はＮ（Ｒ’）であり、式（ＩＶ）のＱは、１〜約１５個の炭素原子のアルキレン、３〜約１５個の炭素原子のヒドロキシアルキレン、−（ＣｎＨ２ｎ）（ＯＣｑＨ２ｑ）ｍ−、−ＳＯ２−ＮＲ’（ＣｎＨ２ｎ）−、又は−ＣＯＮＲ’（ＣｎＨ２ｎ）−であり、式中、Ｒ’は、Ｈ又は１〜約４個の炭素原子のアルキルであり、ｎは１〜約１５であり、ｑは２〜約４であり、及びｍは１〜約１５である。
【００５９】
１つの実施形態では、フルオロアルキルモノマーは、ペルフルオロアルキルエチル（メタ）アクリレートである。別の実施形態では、ペルフルオロアルキル炭素鎖長の分布は、約５０重量％が８炭素であり、約２９重量％が１０炭素であり、約１１重量％が１２炭素であり、及び残部が６炭素、１４炭素、及びより長い鎖長である。この組成物は、デラウェア州ウィルミントンのＥ．Ｉ．デュ・ポン・ド・ヌムール社（E.I.du Pont de Nemours andCompany）からのゾニルＴＡ−Ｎ（ZONYL TA-N）（登録商標）として入手可能である。フルオロアルキルモノマーの割合は、コポリマーの全重量に対して少なくとも約７０重量％である。
【００６０】
アルキル（メタ）アクリレートモノマーは次の式を有する。
Ｒ’’−Ｏ−Ｃ（Ｏ）−Ｃ（Ｒ）＝ＣＨ２（Ｖ）
【００６１】
ここで、式（Ｖ）のＲ’’は、独立して、Ｈ、約１〜約２４個の炭素を有する直鎖又は分岐鎖アルキル基、約１〜約２４個の炭素を有する直鎖又は分岐鎖アルキル基であって１〜３個の窒素を含有するように変性されたもの、及びこれらの混合物から選択され、及び式（Ｖ）のＲは、Ｈ又はＣＨ３である。アルキル（メタ）アクリレートは、重量基準でモノマー鎖単位の５〜２５％を構成するように添加される。１つの実施形態では、アルキル（メタ）アクリレートは、ステアリルメタクリレートである。これらの及びその他のフッ素−メタ（アクリレート）ＳＲＰのより詳細な開示は、米国特許第６，４５１，７１７号に見出すことができる。
【００６２】
代表的なフッ素−ＳＲＰは、三菱（Mitsubishi）から水性懸濁液の形態で商標名リパールＦ３５（REPEARL F35）（登録商標）として、及びデュポン（DuPont）から商標名ゾニル７０６０（ZONYL 7060）（登録商標）、ゾニル８３００（ZONYL 8300）（登録商標）、及びゾニル８７８７（ZONYL 8787）（登録商標）として市販されている。他の適したフッ素−ＳＲＰは、ＰＣＴ国際公開特許ＷＯ０１／９８３８４、ＰＣＴ国際公開特許ＷＯ０１／８１２８５、ＪＰ１０−１８２８１４、ＪＰ２０００−２７３０６７、ＰＣＴ国際公開特許ＷＯ９８／４１６０２１３、及びＰＣＴ国際公開特許ＷＯ９９／６９１２６に開示されている。
【００６３】
代表的なシリコーン含有汚れ放出ポリマー（Ｓｉ−ＳＲＰ）は、次の式（ＶＩ）を有することができる。
ＭａＤｂＤ’ｃＴｄ（ＤｅＭａ）１＋ｄ（ＶＩ）
【００６４】
式（ＶＩ）のａは０〜２であり、式（ＶＩ）のｂは０〜１０００であり、式（ＶＩ）のｃは０〜２００であり、式（ＶＩ）のｄは０〜１であり、式（ＶＩ）のｅは０〜１０００であり、ただし式（ＶＩ）のａ＋ｃ＋ｄ＋ｅは少なくとも１であり、
式（ＶＩ）のＭは、Ｒ１３−ｆＸｆＳｉＯ１／２であり、ここで式（ＶＩ）のＲ１は、独立してＨ又はアルキル基であり、式（ＶＩ）のＸは、ヒドロキシル、アルコキシ基であり、及びｆは０又は１であり、
式（ＶＩ）のＤは、Ｒ４２ＳｉＯ２／２であり、ここで、式（ＶＩ）のＲ４は独立してＨ又はアルキル基であり、
式（ＶＩ）のＤ’は、Ｒ５２ＳｉＯ２／２であり、ここで式（ＶＩ）のＲ５は独立してＨ、アルキル基、又は（ＣＨ２）ｇ（Ｃ６Ｑ４）ｈ（Ａ）ｉ−［（Ｌ）ｊ−（Ａ’）ｋ−］ｌ（式ＶＩａとして参照される）であり、ここで式（ＶＩａ）のｇは１〜１０であり、式（ＶＩａ）のｈは０又は１であり、式（ＶＩａ）のｉは０〜５であり、式（ＶＩａ）のｊは０〜３であり、式（ＶＩａ）のｋは０又は１であり、式（ＶＩａ）のｌは０〜１０であり、式（ＶＩａ）のＣ６Ｑ４は、非置換又は置換型であって式（ＶＩａ）のＱは独立してＨ、Ｃ１〜Ｃ１０アルキル、Ｃ１〜Ｃ１０アルケニル、及びこれらの混合物であり、式（ＶＩａ）のＡ及びＡ’はそれぞれ独立して、エーテル、アミド、アミノ、Ｃ１〜Ｃ４フルオロアルキル、Ｃ１〜Ｃ４フルオロアルケニル、アンモニウム、及びこれらの混合物を表す連結部分であり、式（ＶＩａ）のＬはＣ１〜Ｃ３０直鎖又は分岐鎖アルキル若しくはアルケニル又はアリールで、非置換又は置換型であり、
式（ＶＩ）のＴは、Ｒ６１ＳｉＯ３／２であり、ここで式（ＶＩ）のＲ６は、（ＣＨ２）ｍ（Ｃ６Ｑ４）ｎ（Ａ）ｏ−［（Ｌ）ｐ−（Ａ’）ｑ−］ｒ（式ＶＩｂとして参照される）であり、ここで式（ＶＩｂ）のｍは１〜１０であり、式（ＶＩｂ）のｎは０又は１であり、式（ＶＩｂ）のｏは０〜５であり、式（ＶＩｂ）のｐは０〜３であり、式（ＶＩｂ）のｑは０又は１であり、式（ＶＩｂ）のｒは０〜１０であり、式（ＶＩｂ）のＣ６Ｑ４は、非置換又は置換型であって式（ＶＩｂ）のＱは独立してＨ、Ｃ１〜Ｃ１０アルキル、Ｃ１〜Ｃ１０アルケニル、及びこれらの混合物であり、式（ＶＩｂ）のＡ及びＡ’はそれぞれ独立して、エーテル、アミド、アミノ、Ｃ１〜Ｃ４フルオロアルキル、Ｃ１〜Ｃ４フルオロアルケニル、アンモニウム、及びこれらの混合物を表す連結部分であり、式（ＶＩｂ）のＬはＣ１〜３０直鎖又は分岐鎖アルキル若しくはアルケニル又はアリールで、非置換又は置換型である。
【００６５】
本発明の非水性システムに使用するのに適したシリコーンＳＲＰは、約１０００〜約１０，０００，０００、又は約５０００〜約５，０００，０００、又は約１０，０００〜約１，０００，０００の重量平均分子量を有する。例えば、Ｓｉ−ＳＲＰが硬化性アミノシリコーンである場合、それは約１０００〜約１００，０００の低分子量を有する傾向がある。硬化性ＳｉＳＲＰは、布地に適用された場合に相対的に流動性であり、及び硬化して汚れをはじく被膜様の層を布地表面上に形成することができる。その他の例では、Ｓｉ−ＳＲＰが布地表面上に更に硬化せずに付着するために、１００，０００より高い分子量を有するＳｉ−ＳＲＰが、本発明のデリバリーシステムに使用される。
【００６６】
代表的なＳｉ−ＳＲＰは、ＧＥからＤＦ１０４、ＤＦ１０４０、ＳＭ２１２５、ＳＭ２２４５、ＳＭ２１０１、ＳＭ２０５９として、またダウ・コーニング７５ＳＦ（Dow Corning 75SF）（登録商標）エマルションとして市販されている。
【００６７】
本発明で汚れ放出ポリマーとして使用するのにやはり適しているのは、水溶性の変性セルロースであり、それには、これらに限定されないが、カルボキシメチルセルロース、ヒドロキシプロピルセルロース、メチルセルロース、及び類似の化合物が挙げられる。これらの化合物及び他の適した化合物は、カーク・オスマー工業化学百科事典（Kirk Othmer Encyclopedia of Chemical Technology）、第４版、５巻、５４１〜５６３頁に「セルロースエーテル（Cellulose Ethers）」の表題で記載されており、またそこで引用される参照文献にも記載されている。
【００６８】
適した汚れ放出ポリマーの別の部類は、ポリアルキレンテレフタレート及びポリオキシエチレンテレフタレートのブロックコポリマー、並びにポリアルキレンテレフタレート及びポリエチレングリコールのブロックコポリマーを含んでもよい。これらの化合物は、米国特許第６，３５８，９１４号及び米国特許第４，９７６，８７９号に詳細に開示され論じられている。
【００６９】
汚れ放出ポリマーの別の部類は、エチレンテレフタレートモノマー、オキシエチレンテレフタレートモノマー、又はこれらの混合物を含む、結晶化可能なポリエステルである。このポリマーの例は、ゼルコン４７８０（Zelcon 4780）（登録商標）（デュポン（DuPont）から）、及びミリーズＴ（Milease T）（登録商標）（ＩＣＩから）として市販されている。これら汚れ放出剤のより完全な開示は、ＥＰ０１８５４２７Ａ１に含有されている。
【００７０】
（ｂ）漂白剤
適した漂白剤の非限定例は、触媒金属錯体、活性過酸素源（activated peroxygen sources）、漂白活性化剤、漂白促進剤、光漂白剤、フリーラジカル開始剤及びヒオハライト漂白剤（hyohalite bleaches）から成る群から選択される。
【００７１】
適した触媒金属錯体の例には、これらに限定されないが、米国特許第５，５７６，２８２号に開示されるＭｎＩＶ２（ｕ−Ｏ）３（１，４，７−トリメチル−１，４，７−トリアザシクロノナン）２（ＰＦ６）２のようなマンガン系触媒、式［Ｃｏ（ＮＨ３）５ＯＡｃ］Ｔｙ（「ＯＡｃ」はアセテート部分を表し、及び「Ｔｙ」は陰イオンである）を有するコバルトペンタアミンアセテート塩のような、米国特許第５，５９７，９３６号に開示されるコバルト系触媒、「ＭＲＬ」と略されるマクロ多環式の硬い配位子（macropolycyclic rigid ligand）の遷移金属錯体が挙げられる。ＭＲＬにおける適した金属としては、様々な酸化状態にある、Ｍｎ、Ｆｅ、Ｃｏ、Ｎｉ、Ｃｕ、Ｃｒ、Ｖ、Ｍｏ、Ｗ、Ｐｄ、及びＲｕが挙げられる。適したＭＲＬの例としては、ジクロロ−５，１２−ジエチル−１，５，８，１２−テトラアザビシクロ［６．６．２］ヘキサデカンマンガン（ＩＩ）、ジクロロ−５，１２−ジエチル−１，５，８，１２−テトラアザビシクロ［６．６．２］ヘキサデカンマンガン（ＩＩＩ）ヘキサフルオロホスフェート、及びジクロロ−５−ｎ−ブチル−１２−メチル−１，５，８，１２−テトラアザ−ビシクロ［６．６．２］ヘキサデカンマンガン（ＩＩ）が挙げられる。適した遷移金属ＭＲＬは、既知の手順、例えば、ＰＣＴ国際公開特許ＷＯ００／３３２６０１及び米国特許第６，２２５，４６４号で教示されている手順によって容易に調製される。
【００７２】
適した活性過酸素源（activated peroxygen sources）としては、これらに限定されないが、事前に生成された過酸、漂白活性化剤と組み合わせた過酸化水素源、又はこれらの混合物が挙げられる。事前に生成された適した過酸としては、これらに限定されないが、過カルボン酸及び塩、過炭酸及び塩、過イミド酸及び塩、ペルオキシ一硫酸及び塩並びにこれらの混合物から成る群から選択される化合物が挙げられる。過酸化水素の適した供給源としては、これらに限定されないが、過ホウ酸塩化合物、過炭酸塩化合物、過リン酸塩化合物及びこれらの混合物から成る群から選択される化合物が挙げられる。活性化された過酸化物（peroxygen）供給源の適した種類及び濃度は、米国特許第５，５７６，２８２号、同６，３０６，８１２Ｂ１及び同６，３２６，３４８Ｂ１に見出され、これらは参考として組み込まれる。
【００７３】
適した漂白活性化剤としては、これらに限定されないが、テトラアセチルエチレンジアミン、オクタノイルカプロラクタム、ベンゾイルオキシベンゼンスルホネート、ノナノイルオキシベンゼンスルホネート、ベンゾイルバレロラクタム、ドデカノイルオキシベンゼンスルホネートのような、過加水分解可能な（perhydrolyzable）エステル及び過加水分解可能なイミドが挙げられる。
【００７４】
適した漂白促進剤としては、これらに限定されないが、米国特許第５，８１７，６１４号に記載のものが挙げられる。
【００７５】
（ｃ）酵素
適した酵素の非限定例としては、プロテアーゼ、アミラーゼ、セルラーゼ、リパーゼ、及びその他が挙げられる。適したプロテアーゼには、エスペラーゼ（Esperase）（登録商標）、アルカレーゼ（Alcalase）（登録商標）、エヴァレーゼ（Everlase）（登録商標）、及びサヴィナーゼ（Savinase）（登録商標）（ノボザイムズ（Novozymes）から）、ＢＬＡＰ及び変異型（ヘンケル（Henkel）から）の商標名で知られるバチルス（例えば、サブチルス、レンタス（lentus）、リケニホルミス、アミロリケファシエンス（ＢＰＮ、ＢＰＮ’）、アルカロフィラス（alcalophilus））からのサブチリシンが挙げられる。他の適したプロテアーゼは、ＥＰ１３０７５６、ＰＣＴ国際公開特許ＷＯ９１／０６６３７、ＰＣＴ国際公開特許ＷＯ９５／１０５９１、及びＰＣＴ国際公開特許ＷＯ９９／２０７２６に記載されている。適したアミラーゼ（α及び／又はβ）は、ＷＯ９４／０２５９７及びＰＣＴ国際公開特許ＷＯ９６／２３８７３に記載されている。市販のアミラーゼの非限定例には、ピュラフェクトＯｘ  Ａｍ（Purafect Ox Am）（登録商標）（ジェネンコア（Genencor）から）、及びターマミル（Termamyl）（登録商標）、ナタラーゼ（Natalase）（登録商標）、バン（Ban）（登録商標）、ファンガミル（Fungamyl）（登録商標）、及びデュラミル（Duramyl）（登録商標）（ノボザイムズ（Novozymes）から）が挙げられる。適したセルラーゼには、細菌又は真菌セルラーゼ、例えばフミコーラ・インソレンスにより産生されるもの、特にＤＳＭ１８００（ケアザイム（Carezyme）（登録商標）として市販されている）が挙げられる。他の適したセルラーゼは、トリコデルマ・ロンギブラキアタム（Trichoderma longibrachiatum）によって産生されるＥＧＩＩＩセルラーゼである。適したリパーゼとしては、シュードモナス（Pseudomonas）及びクロモバクター（Chromobacter）群によって産生されるものが挙げられる。市販のリパーゼの非限定例としては、ノボザイムズ（Novozymes）からのリポラーゼ（Lipolase）（登録商標）、リポラーゼウルトラ（Lipolase Ultra）（登録商標）、リポプライム（Lipoprime）（登録商標）、及びリペックス（Lipex）（登録商標）が挙げられる。さらに本明細書で使用するのに適しているのは、クチナーゼ［ＥＣ３．１．１．５０］、エステラーゼ、マンナナーゼ（米国特許第６，０６０，２９９号）のようなカルボヒドラーゼ、ペクチン酸リアーゼ（ＰＣＴ国際公開特許ＷＯ９９／２７０８３）、シクロマルトデキストリングルカノトランスフェラーゼ（ＰＣＴ国際公開特許ＷＯ９６／３３２６７）、及びキシログルカナーゼ（ＰＣＴ国際公開特許ＷＯ９９／０２６６３）である。加えて、漂白酵素の非限定例としては、ペルオキシダーゼ、ＡＣＣａｓｅ、オキシゲナーゼ（例えば、カテコール１，２ジオキシゲナーゼ）、リポキシゲナーゼ（ＰＣＴ国際公開特許ＷＯ９５／２６３９３）、（非ヘム）ハロペルオキシダーゼが挙げられる。
【００７６】
（ｄ）香料及び香料デリバリーシステム
本明細書で使用する時、用語「香料」は、いずれかの臭気物質を示すために使用される。適した香料としては、これらに限定されないが、１つ以上の芳香族化学物質、天然由来の油、及びこれらの混合物が挙げられる。このような芳香族化学物質及び精油についての化学的部類としては、これらに限定されないが、アルコール、アルデヒド、エステル、ケトンが挙げられる。香料には、通常、香料デリバリーシステムが備わっている。
【００７７】
適した香料デリバリーシステムには、これらに限定されないが、香料を装填したシクロデキストリン、アミンに援助されたデリバリーシステム、ポリマーに援助された香料システム、反応性／前香料システム、及び無機キャリアシステムが挙げられる。香料を装填したシクロデキストリンデリバリーシステムは、シクロデキストリン型物質（シクロデキストリンの大部分は、α−、β−、及び／若しくはγ−シクロデキストリンであってもよいし、又は単にβ−シクロデキストリンであってもよい）と錯体化した香料物質又はブレンドを含む。シクロデキストリン及びシクロデキストリンデリバリーシステムを生成するための方法は、米国特許第３，８１２，０１１号、同第４，３１７，８８１号、同第４，４１８，１４４号、及び同第５，５５２，３７８号に更に記載されている。
【００７８】
アミン補助型デリバリーシステム（Amine assisted delivery system）は、１つ以上の香料と、香料から完成生成物へと別々に添加されるポリマー及び／又は非ポリマーアミン物質とを含む。このようなシステムは、ＰＣＴ国際公開特許ＷＯ０３／３３６３５及びＰＣＴ国際公開特許ＷＯ０３／３３６３６に記載されている。
【００７９】
ポリマー補助型デリバリーシステムは、ポリマー物質と香料との物理的結合を使用して香料物質を放出する。適したポリマー補助型システムとしては、これらに限定されないが、リザーバシステム（コアセルベート、マイクロカプセル、デンプン封入）、及びマトリックスシステム（ポリマーエマルション、ラテックス）が挙げられる。このようなシステムについては、ＰＣＴ国際公開特許ＷＯ０１／７９３０３、ＰＣＴ国際公開特許ＷＯ００／６８３５２、ＰＣＴ国際公開特許ＷＯ９８／２８３３９、並びに米国特許第５，１８８，７５３号及び同第４，７４６，４５５号に更に記載されている。
【００８０】
反応性／前香料システムには、これらに限定されないが、製品への添加前に、高分子キャリア、典型的には窒素系キャリアと反応した香料物質、典型的にはアルデヒド又はケトン香料を含むポリマー前香料、非ポリマー物質、例えばマイケル付加体（β−アミノケトン）、シッフ塩基（イミン）、オキサゾリジン、β−ケトエステル、オルトエステルと反応した香料物質を含む非ポリマー前香料システム、及び光前香料（photo pro-perfumes）が挙げられる。このようなシステムについては、ＰＣＴ国際公開特許ＷＯ００／２４７２１、ＰＣＴ国際公開特許ＷＯ０２／８３６２０、並びに米国特許第６，０１３，６１８号及び同第６，４５１，７５１号に更に記載されている。
【００８１】
１つ以上の香料物質を持つ無機物質（多孔質ゼオライト、シリカなど）を含む、無機キャリアシステム。このようなシステムについては、米国特許第５，９５５，４１９号、同第６，０４８，８３０号、及び同第６，２４５，７３２号に更に記載されている。
【００８２】
（ｅ）柔軟化剤
適した布地柔軟化剤又は活性物質としては、これらに限定されないが、ジエステル第四級アンモニウム化合物（ＤＥＱＡ）、ポリ第四級アンモニウム化合物、カルボン酸でエステル化され、及び四級化されたトリエタノールアミン（いわゆる「エステルクアット（esterquat）」、アミノエステルクアット、陽イオン性ジエステル、ベタインエステル、環状ポリオール及び／又は還元糖の陽イオン性ポリマー（いわゆる「ポリオールポリエステル」又は「セフォーズ（Sefose）」）、アミノシリコーン、陽イオン性シリコーン、第四級アンモニウム化合物（quat）／シリコーン混合物を含む、シリコーン又はシリコーンエマルション、官能化ＰＤＭＳ、並びにこれらの混合物が挙げられる。
【００８３】
付着助剤は、通常は陽イオン性部分を含み、やはり柔軟化剤と組み合わせて使用することができる。
【００８４】
第四級アンモニウム型の柔軟仕上げ剤の非限定例は、次から成る群から選択してもよい。Ｎ，Ｎ−ジメチル−Ｎ，Ｎ−ジ（タローイルオキシエチル）アンモニウムメチルサルフェート、Ｎ−メチル−Ｎ−ヒドロキシエチル−Ｎ，Ｎ−ジ（カノイルオキシエチル）アンモニウムメチルサルフェート、及びこれらの混合物。
【００８５】
非シリコーン布地柔軟化剤及び付着助剤の更なる例は、ＥＰ９０２００９、ＰＣＴ国際公開特許ＷＯ９９／５８４９２、米国特許第４，１３７，１８０号、ＰＣＴ国際公開特許ＷＯ９７／０８２８４、ＰＣＴ国際公開特許ＷＯ００／７０００４、ＰＣＴ国際公開特許ＷＯ００／７０００５、ＰＣＴ国際公開特許ＷＯ０１／４６３６１、ＰＣＴ国際公開特許ＷＯ０１／４６３６３、ＰＣＴ国際公開特許ＷＯ９９／６４６６１、ＰＣＴ国際公開特許ＷＯ９９／６４６６０、ＪＰ１１−３５０３４９、ＪＰ１１−０８１１３４、及びＪＰ１１−０４３８６３に記載されている。シリコーン布地柔軟化剤及び付着助剤の更なる例は、米国特許第４，４４８，８１０号、米国特許第４，８００，０２６号、米国特許第４，８９１，１６６号、米国特許第５，５９３，６１１号、ＥＰ４５９８２１、ＥＰ５３０９７４、ＰＣＴ国際公開特許ＷＯ９２／０１７７３、ＰＣＴ国際公開特許ＷＯ９７／３２９１７、ＰＣＴ国際公開特許ＷＯ００／７１８０６、ＰＣＴ国際公開特許ＷＯ００／７１８０７、ＰＣＴ国際公開特許ＷＯ０１／０７５４６、ＰＣＴ国際公開特許ＷＯ０１／２３３９４、ＪＰ２０００−６４１８０、ＪＰ２０００−１４４１９９、ＪＰ２０００−１７８５８３、及びＪＰ２０００−１９２０７５に記載されている。
【００８６】
（ｆ）仕上げポリマー
仕上げポリマーは、天然物又は合成物であることができ、被膜を形成することによって、及び／又は接着特性を提供することによって機能を果たすことができる。例えば、本発明は、布地、特に衣類に形状保持性を付与するために、所望により被膜形成及び／又は接着ポリマーを使用することができる。「接着」とは、ポリマーが溶液又は分散体として繊維表面に塗布され乾燥した場合、ポリマーがその表面に付着することができることを意味する。ポリマーは、表面上に被膜を形成することができ、又は、２つの繊維の間に存在し、その２つの繊維と接触しているときに、それら２つの繊維を結合することができる。
【００８７】
市販されている仕上げポリマーの非限定例は、ＧＡＦケミカルズ社（GAF Chemicals Corporation）から入手可能な分子量約１００，０００のコポリマー９５８（Copolymer 958）（登録商標）及び分子量約１，０００，０００のコポリマー９３７（Copolymer 937）のようなポリビニルピロリドン／ジメチルアミノエチルメタクリレートコポリマー、サンドケミカルズ社（Sandoz Chemicals Corporation）から入手可能なカーターチン（Cartaretin）Ｆ−４（Cartaretin F-4）（登録商標）及びＦ−２３のようなアジピン酸／ジメチルアミノヒドロキシプロピルジエチレントリアミンコポリマー、三菱化学株式会社（Mitsubishi Chemicals Corporation）から入手可能なジアフォーマーＺ−ＳＭ（Diaformer Z-SM）（登録商標）のようなメタクリロイルエチルベタイン／メタクリレートコポリマー、エア・プロダクツ・アンド・ケミカルズ（Air Products and Chemicals）から入手可能なビネックス２０１９（Vinex 2019）（登録商標）又はクラリアント（Clariant）から入手可能なモウェオール（Moweol）（登録商標）のようなポリビニルアルコールコポリマー樹脂、ハーキュレス社（Hercules Incorporated）から入手可能なデルセット１０１（Delsette 101）（登録商標）のようなアジピン酸／エポキシプロピルジエチレントリアミンコポリマー、サイテックインダストリーズ（Cytec Industries）から入手可能なサイプロ５１５（Cypro 515）（登録商標）のようなポリアミン樹脂、ハーキュレス社（Hercules Incorporated）から入手可能なキメン５５７Ｈ（Kymene 557H）（登録商標）のようなポリ第四級アミン樹脂、並びにＢＡＳＦから入手可能なソカランＥＧ３１０（Sokalan EG 310）（登録商標）のようなポリビニルピロリドン／アクリル酸である。
【００８８】
適した仕上げポリマーの更なる例には、これらに限定されないが、デンプンカルボキシメチルセルロース、ヒドロキシプロピルメチルセルロース、及びこれらの混合物が挙げられる。
【００８９】
（ｇ）その他の布地ケア活性物質
適したＵＶ保護剤の非限定例には、ベンゾピロリドン誘導体（ＰＣＴ国際公開特許ＷＯ００／６５１４２）、退色を遅らせるための犠牲光退色防止及び／又はシンナメート誘導体、例えば２長鎖クアットとの組み合わせによるレバフィクス（levafix）（ＰＣＴ国際公開特許ＷＯ００／００５７７）、アミノナフタレン誘導体（aminonapthalene derivatives）、布地実体日焼け止め剤（ＰＣＴ国際公開特許ＷＯ９９／５０３７９）、セルロースモノアセテートによるＵＶ吸収剤の付着、メトキシシンナメート誘導体（ＰＣＴ国際公開特許ＷＯ００／１８８６１及びＰＣＴ国際公開特許ＷＯ００／１８８６２）、活性付着を強化するためのＰＶＡ及び／又はＳＣＭＣとＵＶ吸収剤のエステル（ＰＣＴ国際公開特許ＷＯ００／１８８６３）、非イオン性／陽イオン性製品中の２エチルヘキシル４メトキシシンナメートの付着（ＰＣＴ国際公開特許ＷＯ９７／４４４２２）、すすぎ製品からのＣｌｏｇＰ＞４のＵＶ吸収剤の付着（ＰＣＴ国際公開特許ＷＯ９７／４４４２４）、陽イオン性ＵＶ吸収剤（ＰＣＴ国際公開特許ＷＯ９８／３０６６３）、染色した布地のＵＶ退色を遅らせるためのヒンダードアミンの使用（ＰＣＴ国際公開特許ＷＯ０１／３８４７０及びＰＣＴ国際公開特許ＷＯ０１／０７５５０）、光退色を遅らせるための陽イオン性（ＥＰ８３２９６７）、水溶性日焼け止め剤との組み合わせによるＮＣＯ含有ポリマー（ＰＣＴ国際公開特許ＷＯ９８／４９２５９）、すすぎ添加物中の酸化防止剤＋チヌビン（米国特許第５，９６２，４０２号）、ベンゾトリアゾールＵＶ吸収剤（米国特許第５，７３３，８５５号）が挙げられる。
【００９０】
適した移染防止（ＤＴＩ）剤及び／又は染料固着剤の非限定例としては、布地の色を回復させるためのブラックダイ（black dye）（ＰＣＴ国際公開特許ＷＯ９９／６６０１９）、ＤＴＩ剤としてのビニル−イミダゾール−アクリル酸コポリマー（ＰＣＴ国際公開特許ＷＯ００／１７２９６）、赤色６号の移染を防ぐためのラマＵＨＨ抗体（ＰＣＴ国際公開特許ＷＯ９９／４６３００）、ＤＴＩ剤としてのアクリル／ビニルイミダゾールコポリマー（ＰＣＴ国際公開特許ＷＯ９８／３０６６４）、選ばれたＤＴＩ剤と、キャリア物質としてシリカ又はゼオライトを含有する組成物、クロマボンド（Chromabond）＋ガシル（Gasil）シリカ又はゼオライト、チノフィクス（Tinofix）、バーコフィクス（Burcofix）、ＰＶＰ（Ｎ−ポリビニルピロリドン）、光開始剤、ヒドロキシアセトフェノン、ホスフィンオキシド誘導体、反応性ポリマー（例えば、アミド／エピクロルヒドリン樹脂）及び反応性陰イオン性ポリマー、並びに染料固着の改善のためのキャリアを含む組成物が挙げられる。（ＰＣＴ国際公開特許ＷＯ０１／２５３８６）、ＰＶＰ／ＰＶＩ（Ｎ−ビニルピロリドン／Ｎ−ビニルイミダゾールコポリマー）組成物（米国特許第５，９７７，０４６号及びＰＣＴ国際公開特許ＷＯ９７／２３５９１）、ハイパーブランチポリマー／デンドリマー（ＥＰ８７５５２１）、樹枝状高分子、アミン含有（米国特許第５，８７２，０９３号及びＥＰ７７９３５８）、染料固着の利益のためのプロピレンジアミン及びピペラジン（ＰＣＴ国際公開特許ＷＯ００／１５７４５）、繊維の機械的損傷及び染料損失を低減するためのＣＭＣ合成物（ＰＣＴ国際公開特許ＷＯ００／２２０７９、ＰＣＴ国際公開特許ＷＯ００／２２０７８、ＰＣＴ国際公開特許ＷＯ００／２２０７７、及びＰＣＴ国際公開特許ＷＯ００／２２０７５）、染料固着剤としてのジメチルジアリル系ポリマー（ＰＣＴ国際公開特許ＷＯ００／５６８４９）、重合環式アミン（ＰＣＴ国際公開特許ＷＯ９９／１４２９９）、半極性非イオン性物質と合わせたエピクロルヒドリンと環式アミンとのコポリマー（ＰＣＴ国際公開特許ＷＯ０１／３２８１５及びＰＣＴ国際公開特許ＷＯ０１／３２８１６）、ＤＴＩ剤としてのＮ−ビニルイミダゾール／Ｎ−ビニルピロリドンの高分子量ポリマー（ＤＥ１９６２１５０９）、染料固定剤としてのポリ陽イオン性物質（ＤＥ１９６４３２８１）、染料除去保護剤及び長期香料放出としてのアミノシリコーン（ＰＣＴ国際公開特許ＷＯ９８／３９４０１）、並びにこれらの混合物。
【００９１】
適したしわ低減及び／又は除去剤の非限定例としては、酸化ポリエチレンの使用（ＤＥ１９９２６８６３）、硫酸化ヒマシ油及び／又はエトキシル化シリコーン及び／又はアミノＰＤＭＳ及び／又はポリアクリルアミド、マグナソフト（Magnasoft）（登録商標）ＳＲＳ、シルウェット（Silwet）（登録商標）Ｌ−７６２２（ＰＣＴ国際公開特許ＷＯ００／２４８５３及びＰＣＴ国際公開特許ＷＯ００／２４８５７）、エトキシル化ＰＤＭＳ及びアクリルポリマー（ＰＣＴ国際公開特許ＷＯ００／２７９９１）、高粘度シリコーン油及びエステルクアットのエマルション（ＰＣＴ国際公開特許ＷＯ００／７１８０６）、脂肪族不飽和炭化水素、スクアレン、パラフィン（ＰＣＴ国際公開特許ＷＯ０１／３４８９６）、スチレン−イソプレン又はスチレンブタジエンポリマー（ＰＣＴ国際公開特許ＷＯ０１／３８６２７）、架橋セルロースへのシリコーンポリマーの組込み、酸で処理されたセルロースと反応したシリコーンカルボキシレート又はシラノール含有（ＰＣＴ国際公開特許ＷＯ０１／４４４２６）、ＰＤＭＳを有するアクリル、アラビノガラクタン、シリコーンエマルション、イソマルトサクシンアミド（isomaltosuccinamides）（ＰＣＴ国際公開特許ＷＯ００／２４８５１及びＰＣＴ国際公開特許ＷＯ００／２４８５６及びＰＣＴ国際公開特許ＷＯ００／２４８５８）、天然子葉抽出物（ＰＣＴ国際公開特許ＷＯ０１／０７５５４）、トリアジン又はピリミジン単位及び架橋剤を含有する、セルロース系のしわ取り技術（ＰＣＴ国際公開特許ＷＯ０１／２３６６０）、陽イオン性ポリアミド／エピクロルヒドリン樹脂及びシリコーン潤滑剤組成物（ＥＰ１０９６０５６）、シリコーン及び被膜形成ポリマーを含有するしわ低減組成物（ＰＣＴ国際公開特許ＷＯ９６／１５３０９）、非イオン性多価アルコールを含有するしわ低減組成物（ＰＣＴ国際公開特許ＷＯ９９／５５９４８及びＰＣＴ国際公開特許ＷＯ９９／５５９４９）、硬化可能なアミノ官能化シリコーン／布地柔軟化組成物（米国特許第５，１７４，９１２号）、ポリアクリレート／ジヒドロキシエチル尿素（ＰＣＴ国際公開特許ＷＯ０１／１６２６２）、並びにこれらの混合物が挙げられる。これらのしわ低減剤には、布地柔軟化の利益も提供するものがあることが理解される。
【００９２】
布地再生剤及び／又は繊維修復剤の非限定例としては、回復剤としてのＮ−アルコキシル化キチン／キトサンの生成（ＤＥ１００１９１４０）、布地再生剤としてのセルロースモノアセテート、例えば様々な有益剤のための付着助剤としてのセルロース系ポリマーの使用（ＰＣＴ国際公開特許ＷＯ００／１８８６０、ＰＣＴ国際公開特許ＷＯ００／１８８６１、及びＰＣＴ国際公開特許ＷＯ００／１８８６２）、布地再生剤として架橋された陽イオン性ポリアミン／エピクロルヒドリン樹脂、アポマルＳＡＫ（Apomul SAK）（登録商標）（ＰＣＴ国際公開特許ＷＯ０１／２５３８６）、自己架橋可能又はセルロースと反応可能なポリマー物質、反応性ポリウレタンを含む（ＰＣＴ国際公開特許ＷＯ０１／２７２３２）、ローカストビーンガムのような低分子量の多糖類ガム（polyssacharide gum）を含有する組成物、このようなガムは、キシログルカンのような酵素の開裂を通じてその場で生成することができる（ＰＣＴ国際公開特許ＷＯ００／４０６８４及びＰＣＴ国際公開特許ＷＯ００／４０６８５）、多糖類／セルロースエステル（アセテート）、特定の置換された再生ポリマー（ＰＣＴ国際公開特許ＷＯ０１／７２９３６及びＰＣＴ国際公開特許ＷＯ０１／７２９４０〜ＰＣＴ国際公開特許ＷＯ０１／７２９４４）、繊維のもつれを防ぐための疎水性化ＣＭＣ（ＰＣＴ国際公開特許ＷＯ００／４２１４４及びＰＣＴ国際公開特許ＷＯ００／４７７０５）、耐摩耗性のための、二塩基酸又はエピクロルヒドリンと架橋した高分子量ＰＥＩ（ＰＣＴ国際公開特許ＷＯ００／４９１２２）、耐摩耗性のためのプロピレンジアミンポリマー誘導体（ＰＣＴ国際公開特許ＷＯ００／４９１２３）、耐摩耗性のためのリシンカプロラクタムポリマー（ＰＣＴ国際公開特許ＷＯ００／４９１２５）、すすぎコンディショナーから適用される被膜形成セルロースエーテル（ＰＣＴ国際公開特許ＷＯ００／６５０１５）、繊維の外観のためのリシン／アミン又はアジピン酸コポリマー（ＰＣＴ国際公開特許ＷＯ９９／０７８１３及びＰＣＴ国際公開特許ＷＯ９９／０７８１４）、並びにこれらの混合物が挙げられる。
【００９３】
適した形状保持剤の非限定例としては、寸法安定性を与えるためにＰＡＥ樹脂（例えば、アポマルＳＡＫ（Apomul SAK））及びシリコーンを含有する組成物（ＰＣＴ国際公開特許ＷＯ００／１５７４７及びＰＣＴ国際公開特許ＷＯ００／１５７４８）、乾燥機用途のための布地形状保持剤としての陽イオン性アミン／エピクロルヒドリン樹脂（ＰＡＥ樹脂）（ＰＣＴ国際公開特許ＷＯ００／１５７５５）、自己架橋可能及びセルロースと反応可能な陰イオン性ポリマー、例えば、カルバモイルスルホネート終端ブロック化イソシアネート（carbamoyl sulfonate terminated blocked isocyanates）、寸法安定性を与える（ＰＣＴ国際公開特許ＷＯ０１／２５３８７）、並びにこれらの混合物が挙げられる。
【００９４】
適した標的剤の非限定例は、セルロース結合多糖類への大きな分子の結合（ＰＣＴ国際公開特許ＷＯ９９／３６４６９）、機能材料への抗体の結合及び布地表面上への吸着（ＰＣＴ国際公開特許ＷＯ０１／４６３６４及びＰＣＴ国際公開特許ＷＯ０１／４８１３５）、抗体結合を通じて粒子に結合したセルロース結合ドメイン（ＣＢＤ）を有するタンパク質、綿への香料含有コアセルベートの促進（ＰＣＴ国際公開特許ＷＯ０１／４６３５７）、ペプチド又はタンパク質付着助剤による布地への有益剤の放出（ＰＣＴ国際公開特許ＷＯ９８／００５００）、模倣セルロース結合ドメイン（mimic cellulose binding domain）に結合した有益剤（ＰＣＴ国際公開特許ＷＯ０１／３４７４３及びＰＣＴ国際公開特許ＷＯ０１／３２８４８）、並びにこれらの混合のような技術において開発される。
【００９５】
適した刺激低減剤の非限定例としては、レバー（Lever）第四級アンモニウム物質を用いた処理による、洗濯された布地の刺激の低減が挙げられる（ＰＣＴ国際公開特許ＷＯ００／１７２９７）。
【００９６】
適した変色防止剤の非限定例としては、布地漂白中の黄ばみの可能性を低減するための、ホスホネート化された終端ポリアクリレート（ＤＥ１９９０４２３０）が挙げられる。
【００９７】
適した疎水性仕上げ剤の非限定例としては、疎水性仕上げ剤としてのポリリシン（ＤＥ１９９０２５０６）が挙げられる。
【００９８】
適した抗菌剤の非限定例としては、悪臭を隠すための琥珀及びムスク物質の組み合わせ（ＰＣＴ国際公開特許ＷＯ９８／５６３３７）、５−クロロサリチルアニリドを含有する抗殺菌組成物（ＰＣＴ国際公開特許ＷＯ０１／６０１５７）、アミノアルキルシリコーンを含有する抗微生物組成物、改善された表面残留性（ＰＣＴ国際公開特許ＷＯ９６／１９１９４）、抗微生物ポリペプチド（ＰＣＴ国際公開特許ＷＯ９６／２８４６８）、芳香族アルコール及びフェノールを含有する抗微生物組成物（ＰＣＴ国際公開特許ＷＯ９８／０１５２４）、アルコールの抗微生物活性（ＰＣＴ国際公開特許ＷＯ９７／２１７９５）、良好な抗微生物活性を有するベタイン組成物（ＰＣＴ国際公開特許ＷＯ９７／４３３６８及びＰＣＴ国際公開特許ＷＯ９７／４３３６９）、抗微生物剤としての高ｐＨの非イオン性溶液（ＰＣＴ国際公開特許ＷＯ０１／４４４３０）、織物処理剤の放出制御のためのカプセル（ＤＥ１９９３１３９９）、ベンジルアルキルアンモニウム（benzylakylammonium）、亜鉛ＰＴＯ、クリムバゾール（climbazole）を含有する組成物（ＰＣＴ国際公開特許ＷＯ９８／０１５２７）、有効な抗菌組成物としてのアルキルジメチルアンモニウム及びアルコールエトキシレート（ＧＢ２３２２５５２）、臭気中和のためのシクロヘキシルエステル（ＰＣＴ国際公開特許ＷＯ０１／４３７８４）、アルコキシジスルフィド抗微生物剤（ＥＰ１００８２９６）、抗菌剤としてのブロモフラノン（ＰＣＴ国際公開特許ＷＯ１／４３７３９）、並びにこれらの混合物が挙げられる。
【００９９】
増白剤は、目に見えない紫外線（ＵＶ）放射エネルギーを吸収し、このエネルギーをより波長の長い放射エネルギーへと変化させる、有機化合物にすることができる。用語「増白剤」、「蛍光増白剤」、及び「ホワイトナー」は、交換可能に使用される。増白剤の非限定例としては、スチルベン、ピラゾリン、クマリン、カルボン酸メチンシアニン、ジベンゾチオフェン−５，５−ジオキシド、アゾール、５員及び６員環複素環などの誘導体が挙げられる。増白剤の例は、「蛍光増白剤の生成及び適用（The Production and Application of Fluorescent Brightening Agents）」、Ｍ．ザフラドニク（M.Zahradnik）、ジョン・ワイリー・アンド・サンズ（John Wiley & Sons）（ニューヨーク）出版（１９８２）に開示されている。
【０１００】
（４）キャリア相界面活性剤
布地ケア活性物質をキャリア相に分散するために、界面活性剤がキャリア中に包含されてもよい。したがって、キャリア相（即ち、第２の相）自体はエマルションを含んでもよく、その際布地ケア活性物質は分散した相であり、及びキャリアは連続した相である。こうしたエマルションシステム内のエマルションは、Ｏ／Ｗ／Ｏエマルションとして表され、その際油性又は非水溶性物質（例えば、布地ケア活性物質）は水中に懸濁され、これは連続した親油性マトリックス中に分散した液滴を形成する。本発明の１つの実施形態では、布地ケア活性物質が非水溶性の香油である場合に、Ｏ／Ｗ／Ｏエマルションが形成される。別の実施形態では、布地ケア活性物質がＦ−ＳＲＰ又はＳｉ−ＳＲＰである場合に、多相エマルションが形成される。
【０１０１】
キャリア相界面活性剤の量は、デリバリーシステムの約０．０００５重量％〜約３重量％、又は約０．００１重量％〜約２重量％、又は約０．００２重量％〜約１重量％の範囲である。
【０１０２】
キャリア液滴内に布地ケア活性物質を懸濁するために適した界面活性剤の非限定例には、シロキサン系界面活性剤、陰イオン性界面活性剤、非イオン性界面活性剤、陽イオン性界面活性剤、双極性界面活性剤、両性界面活性剤、半極性非イオン性界面活性剤、ジェミニ界面活性剤、アミン界面活性剤、アルカノールアミン界面活性剤、ホスフェート含有界面活性剤、及びフッ素系界面活性剤が挙げられる。
【０１０３】
（シリコーン系界面活性剤）
本明細書に使用するのに適した乳化剤の別の部類は、上記のように次の式（ＩＩＩ）を有するシロキサン系界面活性剤である：ＭａＤｂＤ’ｃＤ’’ｄキャリア相中の界面活性剤として機能するために、これらのシリコン系界面活性剤は、ＳＲＰより親水性である。例えば、シリコーン系界面活性剤は、シロキサンに親水性を付与するために、ポリ（アルキルシロキサン）からエトキシル化及び／又はプロポキシル化によって得ることができる。シロキサン系界面活性剤は、典型的には０．０００８〜０．０３ａｇ（５００〜２０，０００ダルトン）の重量平均分子量を有する。本明細書で以上に記載したシロキサン系界面活性剤の種類の例は、ＥＰ１，０４３，４４３Ａ１、ＥＰ１，０４１，１８９、及びＰＣＴ国際公開特許ＷＯ０１／３４，７０６（すべてＧＥシリコーンズ（GE Silicones）に譲渡）、並びに米国特許第５，６７６，７０５号、米国特許第５，６８３，９７７号、米国特許第５，６８３，４７３号、及びＥＰ１，０９２，８０３Ａ１（すべてリーバー・ブラザーズ（Lever Brothers）に譲渡）に見出される場合がある。適したシロキサン系界面活性剤の非限定的な市販例は、ＴＳＦ４４４６（ゼネラル・エレクトリック・シリコーンズ（General Electric Silicones）から）、ＸＳ６９−Ｂ５４７６（ゼネラル・エレクトリック・シリコーンズ（General Electric Silicones）から）、ジェナミン（Jenamine）（登録商標）ＨＳＸ（デルコン（DelCon）から）及びＹ１２１４７（オーシースペシャルティーズ（OSi Specialties）から）である。
【０１０４】
親水性のアミノシリコーン、例えば、アルコキシル基を有するＸＳ６９−Ｂ５４７６（ゼネラル・エレクトリック（General Electric）から）もまた本発明に使用するのに適している。
【０１０５】
（非イオン性界面活性剤）
非イオン性界面活性剤の非限定例には次のものが挙げられる。
ａ）Ｃ９〜Ｃ１８アルキルエトキシレート、例えばシェル（Shell）からのネオドール（NEODOL）（登録商標）非イオン性界面活性剤、
ｂ）Ｃ６〜Ｃ１２アルキルフェノールアルコキシラートであって、その際アルコキシラート単位がエチレンオキシとプロピレンオキシ単位の混合物であるもの、
ｃ）Ｃ１２〜Ｃ１８アルコール及びＣ６〜Ｃ１２アルキルフェノールのエチレンオキシド／プロピレンオキシドブロックポリマー、例えばＢＡＳＦからのプルロニック（Pluronic）（登録商標）との縮合物、
ｄ）Ｃ１４〜Ｃ２２中鎖分岐状アルコール、ＢＡであって、米国特許第６，１５０，３２２号に論じられるもの、
ｅ）Ｃ１４〜Ｃ２２中鎖分岐状アルキルアルコキシラート、ＢＡＥｘであって、その際ｘは、米国特許第６，１５３，５７７号、米国特許第６，０２０，３０３号、及び米国特許第６，０９３，８５６号に論じられるように、１〜３０であるもの、
ｆ）アルキル多糖類であって、米国特許第４，５６５，６４７号（レナルド（Llenado）、１９８６年１月２６日発行）に論じられるものであって、特に米国特許第４，４８３，７８０号、及び米国特許第４，４８３，７７９号に論じられるアルキルポリグリコシド、
ｇ）ポリヒドロキシ脂肪酸アミドであって、米国特許第５，３３２，５２８号、ＰＣＴ国際公開特許ＷＯ９２／０６１６２、ＰＣＴ国際公開特許ＷＯ９３／１９１４６、ＰＣＴ国際公開特許ＷＯ９３／１９０３８、及びＰＣＴ国際公開特許ＷＯ９４／０９０９９に論じられるもの、
ｈ）エーテルで末端処理されたポリ（オキシアルキレート化）アルコール界面活性剤であって、米国特許第６，４８２，９９４号、ＰＣＴ国際公開特許ＷＯ０１／４２４０８、及びＰＣＴ国際公開特許ＷＯ０１／４２４０８に論じられるもの、並びに
ｉ）脂肪酸（Ｃ１２〜１８）ソルビタンエステル、スパン（Span）（登録商標）、及びそれらのエトキシル化（ＥＯ５〜１００）誘導体、ポリソルベート、例えば、スパン（Span）（登録商標）２０、トゥイーン（Tween）（登録商標）２０、トゥイーン（Tween）（登録商標）６０、トゥイーン（Tween）（登録商標）８０（ユニケマ（Uniqema）から市販される）。
【０１０６】
エトキシル化界面活性剤のその他の例には、カルボキシル化アルコールエトキシレート、エトキシル化第四級アンモニウム界面活性剤、及びエトキシル化アルキルアミンが挙げられる。
【０１０７】
（半極性非イオン性界面活性剤）
半極性非イオン性界面活性剤の非限定例には、ＰＣＴ国際公開特許ＷＯ０１／３２８１６、米国特許第４，６８１，７０４号、及び米国特許第４，１３３，７７９号に論じられるように、アルキル及びヒドロキシアルキル部分を含有する水溶性アミンオキシド、アルキル及びヒドロキシアルキル部分を含有する水溶性ホスフィンオキシド、並びにアルキル及びヒドロキシアルキル部分を含有する水溶性スルホキシドが挙げられる。
【０１０８】
（陽イオン性界面活性剤）
陽イオン性界面活性剤の非限定例には、次のような第四級アンモニウム界面活性剤が挙げられ、これは２６個までの炭素原子を有することができる。
【０１０９】
ａ）アルコキシラート第四級アンモニウム（ＡＱＡ）界面活性剤であって、米国特許第６，１３６，７６９号に論じられるもの、
ｂ）ジメチルヒドロキシエチル第四級アンモニウムであって、第６，００４，９２２号に論じられるもの、
ｃ）ポリアミン陽イオン性界面活性剤であって、ＰＣＴ国際公開特許ＷＯ９８／３５００２、ＰＣＴ国際公開特許ＷＯ９８／３５００３、ＰＣＴ国際公開特許ＷＯ９８／３５００４、ＰＣＴ国際公開特許ＷＯ９８／３５００５、及びＰＣＴ国際公開特許ＷＯ９８／３５００６に論じられるもの、
ｄ）陽イオン性エステル界面活性剤であって、米国特許第４，２２８，０４２号、同第４，２３９，６６０号、同第４，２６０，５２９号、及び米国特許第６，０２２，８４４号に論じられるもの、並びに
ｅ）アミノ界面活性剤であって、米国特許第６，２２１，８２５号、及びＰＣＴ国際公開特許ＷＯ００／４７７０８に論じられるものであって、特にアミドプロピルジメチルアミン。
【０１１０】
（陰イオン性界面活性剤）
本明細書で有用な陰イオン性界面活性剤の非限定例には、アルキルスルホネート、例えばＣ１１〜Ｃ１８アルキルベンゼンスルホネート（ＬＡＳ）又はＣ１０〜Ｃ２０分岐鎖及びランダムアルキルサルフェート（ＡＳ）、Ｃ１０〜Ｃ１８アルキルアルコキシサルフェート（ＡＥｘＳ）であって、その際ｘが１〜３０であるもの、中鎖分岐状アルキルサルフェート（米国特許第６，０２０，３０３号及び米国特許第６，０６０，４４３号）又は中鎖分岐状アルキルアルコキシサルフェート（米国特許第６，００８，１８１号及び米国特許第６，０２０，３０３号）、１〜５のエトキシ単位を含むＣ１０〜Ｃ１８アルキルアルコキシカルボキシレート、変性アルキルベンゼンスルホネート（ＭＬＡＳ）であって、ＰＣＴ国際公開特許ＷＯ９９／０５２４３、ＰＣＴ国際公開特許ＷＯ９９／０５２４２、ＰＣＴ国際公開特許ＷＯ９９／０５２４４、ＰＣＴ国際公開特許ＷＯ９９／０５０８２、ＰＣＴ国際公開特許ＷＯ９９／０５０８４、ＰＣＴ国際公開特許ＷＯ９９／０５２４１、ＰＣＴ国際公開特許ＷＯ９９／０７６５６、ＰＣＴ国際公開特許ＷＯ００／２３５４９、及びＰＣＴ国際公開特許ＷＯ００／２３５４８に論じられるもの、Ｃ１２〜Ｃ２０メチルエステルスルホネート（ＭＥＳ）、Ｃ１０〜Ｃ１８α−オレフィンスルホネート（ＡＯＳ）、及びＣ６〜Ｃ２０スルホサクシネートが挙げられる。
【０１１１】
（その他の界面活性剤）
その他の適したキャリア相界面活性剤の非限定例には次のものが挙げられる。
ａ）アルカノールアミン及びその誘導体、
ｂ）ホスフェート／ホスホネートエーテル、
ｃ）双極性界面活性剤（米国特許第３，９２９，６７８号）、例えば第二級及び第三級アミンの誘導体、複素環式第二級及び第三級アミンの誘導体、又は第四級アンモニウムの誘導体、第四級ホスホニウム又は第三級スルホニウム化合物、及びＣ８〜Ｃ１８（又はＣ１２〜Ｃ１８）アミンオキシド、
ｄ）両性界面活性剤（米国特許第３，９２９，６７８号）、例えば第二級若しくは第三級アミンの脂肪族誘導体、又は複素環式第二級及び第三級アミンの脂肪族誘導体であって、その際脂肪族ラジカルが直鎖又は分岐鎖であり得るもの、サルフェート、
ｅ）ジェミニ界面活性剤は、１分子につき導入された少なくとも２つの疎水基及び少なくとも２つの親水基を有する化合物であり、非限定例は、米国特許第５，１６０，４５０号、米国特許第３，２４４，７２４号、米国特許第２，５２４，２１８号、同第２，５３０，１４７号、同第２，３７４，３５４号、及び米国特許第６，３５８，９１４号に開示されており、
ｆ）アミン界面活性剤には、約６〜約２２個の炭素原子を含む第一級アルキルアミンが挙げられ、非限定例はオレイルアミン（アクゾ（Akzo）から商標名アーミーン・オールド（ARMEEN OLD）（登録商標）として市販されている）、ドデシルアミン（アクゾ（Akzo）から商標名アーミーン１２Ｄ（ARMEEN 12D）（登録商標）として市販されている）、分岐状Ｃ１６〜Ｃ２２アルキルアミン（ローム・アンド・ハース（Rohm & Haas）から商標名プリミーンＪＭ−Ｔ（PRIMENE JM-T）（登録商標）として市販されている）であり、及び
ｇ）フルオロアルキルカルボキシレート、フルオロアルキルホスフェート、フルオロアルキルサルフェート、フルオロアルキルエトキシレート、フッ素系界面活性剤の第四級アンモニウム塩を含むフッ素系界面活性剤、並びにアルキルベタイン、スルホベタイン、及びヒドロキシベタインを含むベタイン、幾つかの代表的なフッ素系界面活性剤は３Ｍから商標名フルオラド（FLUORAD）（登録商標）として、及びクラリアント（Clariant）から商標名フルオウェット（FLUOWET）（登録商標）として入手可能である。
【０１１２】
（５）補助剤成分
本発明は更に、非水性溶媒系洗浄システムに有用な補助剤成分を包含してもよい。水又は親油性流体への溶解性は必ずしも必要ではないが、適した補助剤成分は、水に、親油性流体に、又は両方に可溶性である物質である。これらの補助剤成分は、そのままで、又は追加の処理後に、環境運命及び毒性（例えば、生分解性、水毒性、ｐＨなど）におけるあらゆる制約内で安全に下水に廃棄できる物質から選択できる。しかしながら、本発明の補助剤成分について下水廃棄性は必要ない。本明細書で使用する時、「下水廃棄」は、下水道システムによる又は汚水処理システムのような特定地域用のシステムを介した、自治体の廃水除去システムへの、物質の従来の在宅処理、並びに、商業用途での現場（on−site）水処理システム又は施設から汚染した水を回収する他の何らかの集中格納手段への除去の両方を意味する。補助剤成分は、幅広く異なることができ、及び広範囲の濃度で使用することができる。
【０１１３】
幾つかの適した補助剤成分には、これらに限定されないが、ビルダー、アルカリ性供給源、着色剤、石灰石鹸分散剤、臭気抑制剤、臭気中和剤、結晶成長抑制剤、重金属イオン封鎖剤、変色防止剤、抗菌剤、酸化防止剤、再付着防止剤、電解質、ｐＨ調整剤、増粘剤、研磨剤、二価又は三価イオン、金属イオン塩、酵素安定剤、腐食防止剤、ジアミン若しくはポリアミン及び／又はそれらのアルコキシラート、石鹸泡安定化ポリマー、溶媒、加工助剤、ヒドロトロープ、石鹸泡又は泡抑制剤、石鹸泡又は泡促進剤、及びこれらの混合物が挙げられる。
【０１１４】
（デリバリーシステムの調製）
１つの実施形態では、水、１つ以上の布地ケア活性物質、及び所望によりキャリア相界面活性剤がプレミックスされる。プレミックスは次に親油性流体中に分散されて、本発明のデリバリーシステムを形成する。乳化剤はいずれの工程においても添加できる。別の実施形態では、水、布地ケア活性物質、及び所望により界面活性剤を含むキャリア相プレミックス、並びに親油性流体及び乳化剤を含む親油性相プレミックスが混合されて２相のデリバリーシステムを形成する。更に別の実施形態では、水、親油性流体、布地ケア活性物質、乳化剤、及び所望によりキャリア相界面活性剤が共に、同時に又はいずれかの順番で混合されて２相のデリバリーシステムを形成する。水滴を所望の大きさの範囲に破断し、及び水と親油性流体との間に活性物質を分配するのを助けるために、機械的エネルギー（例えばかき混ぜ、振盪、又は攪拌）の入力を使用してもよい。
【０１１５】
デリバリーシステムは、処理装置に添加される前に調製され得る。あるいは、デリバリーシステムの１つ以上の構成成分が、処理装置内の保持タンク又は容器に分けて添加され、及び布地物品に適用される前に、処理装置内で混合されてデリバリーシステムを形成することができる。
【０１１６】
（方法）
本発明はまた、非水性溶媒系布地処理方法における布地物品上への布地ケア活性物質の効率的及び均一な付着の方法を含む。この方法は、典型的には、親油性流体相、キャリア流体相、１つ以上の布地ケア活性物質及び乳化剤を含む２相デリバリーシステムを得る工程、デリバリーシステムを布地物品に適用する工程、及び親油性流体の少なくとも一部分をデリバリーシステムから除去する工程を含む。所望により、デリバリーシステムに加えて、親油性流体及び／又は水を布地物品に適用してもよい。
【０１１７】
２相デリバリーシステムは布地物品に、浸漬、浸し塗り、噴霧、はけ塗り、擦り付け、及びこれらの組み合わせにより適用できる。デリバリーシステムは布地物品に、洗浄サイクル、乾燥サイクル、又は布地のリフレッシュ／処理サイクルの間に処理装置内で適用できる。デリバリーシステムはまた布地物品に、処理装置外で、例えば前処理又は後処理工程の間に適用できる。
【０１１８】
親油性流体は、処理された布地物品から、加熱、回転、絞り、締め付け、又はこれらの組み合わせにより除去できる。
【０１１９】
所望の量の布地ケア活性物質が１サイクルで付着されてもよいし、又は同じ所望の量の布地ケア活性物質がより少量に分割若しくは分けられ及び方法が１回を超えて完了し、結果として一連のサイクルを通して、より少量の布地ケア活性物質が付着されて、布地物品上に付着される所望の量の布地ケア活性物質を得てもよい。
【０１２０】
１つの実施形態では、布地物品は処理装置内に設置され、及びデリバリーシステムは、それが装置内で布地物品に接触するように適用される。所望により、デリバリーシステム及び布地物品は共に攪拌されるか、又はデリバリーシステムが布地物品に均一に接触するように布地物品が動く。有効量の布地ケア活性物質が布地物品上に付着されて、所望の布地処理の利益が達成される。典型的な実施形態では、布地物品上に付着される布地ケア活性物質の量は、布地物品の乾燥重量の０．００１重量％〜約３重量％、又は約０．０１重量％〜約２重量％、又は約０．１重量％〜約１重量％の範囲である。別の実施形態では、布地物品上に付着されるデリバリーシステムの量は、布地物品の乾燥重量の０．０１重量％〜約７５重量％、又は約０．１重量％〜約３０重量％、又は約１重量％〜約１０重量％の範囲である。
【０１２１】
次に、布地物品は約１５℃〜約２００℃、又は約２０℃〜約１６０℃、又は約３０℃〜約１１０℃、又は約４０℃〜約９０℃に加熱される。理論に束縛されるものではないが、硬化すること、又は布地ケア活性物質をその融解温度に若しくはそれより高く加熱することは、加熱を遂行する消費者の衣類乾燥機、又は非水性溶媒系洗浄システムの一部であってもよい類似の乾燥機に適合するように修正され得ると考えられている。ＰＣＴ国際公開特許ＷＯ０１／９４６７５を参照のこと。
【０１２２】
方法の任意の工程は、布地物品を加熱する前に布地物品をデリバリーシステムから除去することである。
【０１２３】
当業者に既知のいずれの適した布地物品処理装置も使用され得る。布地物品処理装置は、洗浄システムの実施中に、処理される布地物品を受け取り及び保持する。換言すれば、布地物品処理装置は、布地物品がドライクリーニング溶媒と接触している間、布地物品を保持する。適した布地物品処理装置の非限定例としては、商業用洗浄機、家事用、家庭用洗濯機、及び衣類乾燥機が挙げられる。代表的な処理装置は、米国特許出願０９／８４９，８９３（２００１年５月４日出願）（Ｐ＆Ｇ件名８１１９）に記載される。
【０１２４】
本発明の方法及びデリバリーシステムは、クリーニングサービス、おむつサービス、制服クリーニングサービスのようなサービス、又はコインランドリー（Laundromat）、ドライクリーニング店、ホテル、レストラン、コンベンションセンター、空港、観光船、港湾施設、カジノの一部のリネンサービスのような事業で使用してもよく、又は家庭で使用してもよい。
【０１２５】
本発明の方法は、改造された既存装置であって、また関連方法に加えて本発明の方法を実施するような形で改良された装置において実施されてもよい。
【０１２６】
本発明の方法は、また、本発明及び関連方法を実施するために特別に構築された装置で実施されてもよい。
【０１２７】
更に、本発明の方法は、ドライクリーニング溶媒処理システムの一部として別の装置に追加されてもよい。これには、化学物質及び水の供給源、並びに廃棄洗浄流体用の下水設備への連結のような、関連した配管すべてが包含される。
【実施例】
【０１２８】
本発明の２相デリバリーシステムが布地ケア活性物質を布地に送達し、満足できる布地ケアの利益を達成でき、及びこの利益が処理された領域全体を通して均一であることを示すために、ＡＡＴＣＣ試験方法１１８−１９９７に基づく試験方法が使用される。その上、この試験方法はまた乳化剤を選別するためにも使用できる。例えば、フッ素ＳＲＰを２相デリバリーシステムを用いて布地に送達するためには、有効な乳化剤は（１）ＡＡＴＣＣ試験方法１１８−１９９７により測定した時に約３〜約８、又は約４〜約８、又は約５〜約８の満足できる油忌避性／疎水性、及び（２）こうした油忌避性が布地の処理された領域全体を通して一貫して見出されることをもたらす。
【０１２９】
この試験に使用される親油性流体は、デカメチル−シクロペンタシロキサン（Ｄ５）である。親油性流体のおよそ０．０５重量％の乳化剤が、親油性流体を含有する第１及び第２のバイアル瓶に添加される。試料はおよそ３０秒間の攪拌によりブレンドされる。第３のバイアル瓶内には、親油性流体のみを含有する対照試料がまた調製される。
【０１３０】
親油性流体のおよそ０．００１重量％の食品、医薬品及び化粧品用（ＦＤ＆Ｃ）赤４０号染料が、第１のバイアル瓶、及び対照試料を含有する第３のバイアル瓶に添加される。水中に分散したフッ素汚れ放出ポリマー（３０重量％固体含有量の懸濁液が商標名リパール（Repearl）（登録商標）Ｆ−３５として三菱（Mitsubishi）から市販されている）が第２のバイアル瓶、及び対照試料を含有する第３のバイアル瓶に添加される。結果として得られる組み合わせは、親油性流体のおよそ０．０６重量％の汚れ放出ポリマーを含有する。試料バイアル瓶が、リスト・シェーカー上で、およそ９９回転／秒（９５０ｒｐｍ）で３０秒間振盪される。対照試料中の染料及びフッ素ＳＲＰは、試験結果を妨害しないことが見出されている。しかしながら、この試験は、所望により、それぞれ染料又はフッ素ＳＲＰを含有する別個の対照試料を用いて行うこともできる。
【０１３１】
３．８ｃｍ×３．８ｃｍ（１．５インチ×１．５インチ）の綿の材料見本が、上記のバイアル瓶の各々に加えられる。バイアル瓶中の結果として得られる組み合わせは、親油性流体の約５．５重量％の綿の材料見本を含有する。綿の材料見本（類）を含有する試料バイアル瓶を、リスト・シェーカー上でおよそ９９回転／秒（９５０ｒｐｍ）で１０分間振盪する。
【０１３２】
綿の材料見本（類）を試料バイアル瓶から除去してメッシュの袋の中に設置し、及び従来の消費者の温風洗濯乾燥機内で最高の加熱設定で完全に乾くまで綿の材料見本を乾燥させる。綿の材料見本は次に、オーブン中で１７０℃で５分間徐冷される。油忌避性試験を、ＡＡＴＣＣ試験方法１１８−１９９７に従って、鉱油液滴を用いて行う。
【０１３３】
第１のバイアル瓶からの綿の材料見本は、目視観測によって、赤い染料の均一な付着を示す。第２のバイアル瓶からの綿の材料見本は、約５の油忌避性／疎水性を示し、及び綿の材料見本の実質的に全体を通じてそうである。対照的に、デリバリーシステムを含有しない対照試料は、赤い染料の不均質な付着、並びにより低い及び不均質な油忌避性を示す。  同様に、３５重量％の固体含有量を有する水性懸濁液中のシリコーン汚れ放出ポリマー（ＧＥシリコーンズ（GE Silicones）から商標名ＳＭ２１２５（登録商標）として市販されている）を試料バイアル瓶中に用いて試験を繰り返し、及び処理された綿の材料見本を試験するために水滴を使用する場合、本発明の２相のデリバリーシステムは、実質的に均一な及び満足できる水の忌避性を、そのバイアル瓶中で処理された綿の材料見本に送達する。
【０１３４】
更に試験は、綿の材料見本上に付着しない親油性流体中の残留活性物質を定量化する追加の工程を包含してもよい。重力測定法、滴定などのような一般に既知の定量化法をここで用いることができる。例えば重力測定法は、活性物質が室温で固体である場合に使用できる。綿の材料見本をバイアル瓶から除去した後、内容物を予め坪量したアルミニウムの皿の中に注ぎ、及び蒸発させることができる。皿の最終重量から予め坪量した皿の重量を引いたものは、綿の材料見本上に付着しない残留活性物質の量である。
【０１３５】
本発明の特定の実施形態を例示し説明したが、本発明の精神及び範囲から逸脱することなくその他の様々な変更及び修正を実施できることが、当業者には自明であろう。したがって、本発明の範囲内にあるそのようなすべての変更及び修正を、添付の特許請求の範囲で扱うものとする。
【０１３６】
特に指定のない限り、本明細書で特定される百分率はすべて重量に基づく。本明細書全体を通じて記載される最大数値限定は、それより小さいいかなる数値限定をも、それらが本明細書に明確に記載されているかのように含むことを理解すべきである。本明細書全体を通じて記載される最小数値限定は、それより大きいいかなる数値限定をも、それらが本明細書に明確に記載されているかのように含む。本明細書全体を通じて記載される数値範囲は、そのようなより広い数値範囲内に入るそれよりも狭いいかなる数値範囲をも、それらがすべて本明細書に明確に記載されているかのように含む。
【０１３７】
すべての引用された文書は、関連部分において本明細書に参考として組み込まれる、いずれの文書の引用も、それが本発明に関して先行技術であるということの承認として解釈されるべきではない。
【国際調査報告】
2006527313.tif 000003
2006527313.tif 000004
2006527313.tif 000005